(57)【要約】【課題】浴室を空調した熱（冷熱）の漏洩を無くし熱効率を向上することができ、また、浴室以外の室内空間を効率よく個別に空調することができ、更に省スペースと施工性の向上を図ることができる浴室空調装置を提供することを目的とする。【解決手段】換気ファン１５によって室内空間、例えば脱衣室３およびトイレ４から屋外へ排気する空気から熱（冷熱）を回収し、循環ファン２２によって浴室２を循環する空気に熱（冷熱）を供給する、又は他の室内空間に吹き出す空気に供給することにより、外気から熱（冷熱）を吸収するよりも熱（冷熱）を多く回収でき、熱（冷熱）を供給した空気を浴室２外へ排出しないので熱効率を向上できる。また、風路切換手段３１を備えるので、脱衣室３を個別に効率よく空調できる。【選択図】図３
2008020107.tif 000002
【特許請求の範囲】
【請求項１】
室内空間Ａ、例えば浴室（２）に開口した吸込口（１８）から空気を吸い込んで前記浴室（２）に開口した吹出口（１９）から空気を吹き出す循環ファン（２２）と、前記浴室（２）以外の室内空間Ｂ、例えば脱衣室（３）に開口した排気口から空気を吸い込んでその空気の少なくとも一部を屋外に排出する換気ファン（１５）と、冷媒を圧縮する圧縮機（３３）、空気と冷媒を熱交換させる第一熱交換器（３４）、冷媒を膨張させる第一膨張機構（３５）、空気と冷媒を熱交換させる第二熱交換器（３６）、空気と冷媒を熱交換させる第三熱交換器（３８）の順に冷媒を循環させる冷媒回路（３２）を備え、冷媒が前記第二熱交換器（３６）と前記第三熱交換器（３８）のうち少なくとも一方にて前記換気ファン（１５）によって吹き出される空気から吸熱し、前記第一熱交換器（３４）にて前記循環ファン（２２）によって吹き出される空気に放熱することにより前記浴室（２）を暖房することを特徴とする、浴室空調装置。
【請求項２】
圧縮機（３３）の吐出側から第一熱交換器（３４）に至る冷媒回路（３２）中から分岐し第一膨張機構（３５）から第二熱交換器（３６）に至る冷媒回路（３２）中に合流する第一バイパス回路（４０）と、前記第一バイパス回路中に介設された第一開閉弁（４３）を備えることを特徴とする、請求項１記載の浴室空調装置。
【請求項３】
第二熱交換器（３６）から第三熱交換器（３８）に至る冷媒回路（３２）中に介設され冷媒を膨張させる第二膨張機構（３７）を備え、換気ファン（１５）によって吹き出される空気が前記第二熱交換器（３６）を通る空気と前記第三熱交換器（３８）を通る空気に分かれるようにし、前記第二熱交換器（３６）において熱交換された空気を前記脱衣室（３）に開口した送風口から吹き出すようにしたことを特徴とする、請求項１または２記載の浴室空調装置。
【請求項４】
第二熱交換器（３６）から第三熱交換器（３８）へ至る冷媒回路（３２）中に介設された冷媒を膨張させる第二膨張機構（３７）を備え、換気ファン（１５）によって吹き出される空気が前記第二熱交換器（３６）を通る空気と前記第三熱交換器（３８）を通る空気に分かれるようにし、第二熱交換器（３６）において熱交換された空気を前記脱衣室（３）に開口した送風口から吹き出すか、もしくは屋外へ排出するかを切り換える風路切換手段（３１）を備えることを特徴とする、請求項１または２記載の浴室空調装置。
【請求項５】
排気口から換気ファン（１５）の吸込側に至る風路を開閉する開閉装置を備えることを特徴とする、請求項１乃至４のいずれかに記載の浴室空調装置。
【請求項６】
冷媒の流れ方向を圧縮機（３３）、第三熱交換器（３８）、第二熱交換器（３６）、第一膨張機構（３５）、第一熱交換器（３４）の順番に切り換える流路切換弁（３９）を備え、第三熱交換器（３８）において、または第二熱交換器（３６）と第三熱交換器（３８）の両方において前記換気ファン（１５）により送風される空気に対して冷媒が放熱し、第一熱交換器（３４）において循環ファン（２２）により浴室（２）内を循環する空気から冷媒が吸熱することによって浴室（２）を冷房することを特徴とする、請求項１乃至５のいずれかに記載の浴室空調装置。
【請求項７】
圧縮機（３３）の吐出側から第一膨張機構（３５）に至る冷媒回路（３２）中から分岐して、前記第一膨張機構（３５）から前記圧縮機（３３）の吸入側に至る冷媒回路（３２）中に合流するバイパス回路と、前記バイパス回路を開閉する開閉弁を備えたことを特徴とする、請求項１乃至６のいずれかに記載の浴室空調装置。
【請求項８】
圧縮機（３３）の吐出側から第一熱交換器（３４）に至る冷媒回路（３２）中から分岐し、第二熱交換器（３６）から第三熱交換器（３８）に至る冷媒回路（３２）中に合流する第二バイパス回路（４１）と、前記第二バイパス回路（４１）中に介設された第二開閉弁（４４）を備えることを特徴とする、請求項７の記載の浴室空調装置。
【請求項９】
第一熱交換器（３４）の冷媒が流れる配管中に冷媒を減圧する減圧手段を更に備え、前記減圧手段の下流側の冷媒が循環ファン（２２）により送風される空気から吸熱した後、前記減圧手段の上流側の冷媒が放熱することによって浴室（２）内を除湿することを特徴とする、請求項１乃至８のいずれかに記載の浴室空調装置。
【請求項１０】
浴室（２）を暖房、冷房あるいは除湿して空調を行う場合は、換気ファン（１５）のみを運転させて排気口が開口した空間の換気を行う場合に対して前記換気ファン（１５）の風量を増加させることを特徴とする、請求項１乃至９のいずれかに記載の浴室空調装置。
【請求項１１】
排気口に吸い込まれる空気を、浴室（２）以外に設置された空調機（１７）によって空調された空気としたことを特徴とする、請求項１乃至１０のいずれかに記載の浴室空調装置。
【請求項１２】
浴室（２）内と換気ファン（１５）の吸込側を連通する浴室換気通路（２４）と、前記浴室換気通路（２４）を開閉する開閉装置（２７）とを備え、前記浴室（２）を空調する場合は前記開閉装置（２７）を閉状態に設定し、前記浴室（２）の換気や乾燥を行う場合は前記開閉装置（２７）を開状態に設定することを特徴とする、請求項１乃至１１のいずれかに記載の浴室空調装置。
【請求項１３】
浴室（２）を乾燥する場合に、前記浴室換気通路（２４）を通って屋外に排出される空気から第二熱交換器（３６）と第三熱交換器（３８）の少なくとも一方において冷媒が吸熱することを特徴とする、請求項１２記載の浴室空調装置。
【請求項１４】
浴室換気通路（２４）を吸込口（１８）を介して浴室（２）内と連通させたことを特徴とする、請求項１２または１３記載の浴室空調装置。
【請求項１５】
循環ファン（２）が送風する空気の少なくとも一部を加熱する補助ヒーター（２３）を備えたことを特徴とする、請求項１乃至１４のいずれかに記載の浴室空調装置。
【請求項１６】
補助ヒーター（２３）を浴室（３）内に輻射熱を放散する輻射式のヒーターとしたことを特徴とする、請求項１５記載の浴室空調装置。
【請求項１７】
換気ファン（１５）によって第三熱交換器（３８）に、または第二熱交換器（３６）と第三熱交換器（３８）に供給される前の空気を予熱する予熱ヒーター（５０）を備えたことを特徴とする、請求項１乃至１６のいずれかに記載の浴室空調装置。
【請求項１８】
第一熱交換器（３４）もしくは第二熱交換器（３６）もしくは第三熱交換器（３８）の冷媒温度に基づいて流路切換弁（３９）を切り換えることを特徴とする、請求項１乃至１７のいずれかに記載の浴室空調装置。
【請求項１９】
第三熱交換器（３８）に対して直列もしくは並列となるように冷媒回路（３２）中に冷媒を加熱する冷媒加熱手段（４７）を介在させたことを特徴とする、請求項１乃至１８のいずれかに記載の浴室空調装置。
【請求項２０】
冷媒加熱手段（４７）を、電熱により冷媒を加熱する冷媒加熱ヒーター（４６）としたことを特徴とする、請求項１９記載の浴室空調装置。
【請求項２１】
冷媒加熱手段（４７）を、給湯水との熱交換により冷媒を加熱する冷媒−水熱交換器（５７）としたことを特徴とする、請求項１９記載の浴室空調装置。
【請求項２２】
冷媒−水熱交換器（５７）に供給される給湯水に、ヒートポンプ式給湯機で沸かされた湯を用いることを特徴とする、請求項２１記載の浴室空調装置。
【請求項２３】
冷媒−水熱交換器（５７）で冷媒との熱交換をした後の給湯水を、第一熱交換器（３４）或いは第二熱交換器（３６）或いは第三熱交換器（３８）に生じた結露水を排水する排水経路を通じて装置外部に排水する構成としたことを特徴とする、請求項２１または２２記載の浴室空調装置。
【請求項２４】
換気ファン（１５）は２つの羽根車（６６，６７）を備え、一方の羽根車（６６）を用いて浴室（２）以外の室内空間から空気を吸込んで第二熱交換器（３６）と第三熱交換器（３８）に送風し、他方の羽根車（６７）を用いて別の室内空間から吸込んだ空気を熱交換させないで屋外に送風することを特徴とする、請求項１乃至２３のいずれかに記載の浴室空調装置。
【請求項２５】
換気ファン（１５）から第二熱交換器（３６）および第三熱交換器（３８）に至る風路（２９）より分岐し屋外へ連通する直接換気風路（６９）と、前記風路（２９）と直接換気風路（６９）との分岐点に直接換気風路切換手段（７０）を備え、換気ファン（１５）から吹き出す空気が第二熱交換器（３６）および第三熱交換器（３８）を介さないで屋外へ吹き出されることを特徴とする、請求項１乃至２４のいずれかに記載の浴室空調装置。
【発明の詳細な説明】
【技術分野】
【０００１】
本発明は、ヒートポンプを利用して浴室の空調を行う浴室空調装置に関する。
【背景技術】
【０００２】
従来のヒートポンプを利用した浴室空調装置としては以下に示すものがある。
【０００３】
浴室以外の空間から空気を取り入れ、その空気は、ヒートポンプの一方の熱交換器から熱（冷熱）を受け取る。そして、その熱（冷熱）を受け取った空気を浴室に吹き出し、浴室を空調する。また、浴室に吹き出す風路から開閉装置を介して浴室以外の空間、例えば脱衣室にも分流して吹き出す。一方、その熱（冷熱）は、換気のために浴室から屋外へ排気する空気がヒートポンプの他方の熱交換器に放出した熱（冷熱）である。このようにして、ヒートポンプを用いて浴室から屋外へ排気する空気から吸熱し、浴室以外の空間から浴室と浴室以外の空間に吹き出す空気に放熱することにより、浴室および浴室以外の室内空間に対して空調効果をもたらすものがある（例えば、特許文献１参照）。
【０００４】
また、ヒートポンプを室外機と室内機に分離し、室外機に設けられた熱交換器が外気に対して吸熱（または放熱）を行い、室内機に設けられた熱交換器が浴室の空気に対して放熱（または吸熱）することで浴室を空調するものもある（例えば、特許文献２参照）。
【特許文献１】特開２００５−１８０７１２号公報
【特許文献２】特開２００２−３４９９３０号公報
【発明の開示】
【発明が解決しようとする課題】
【０００５】
以上のようにヒートポンプを利用した浴室空調装置は、様々な形態のものが提案されている。特許文献１に例示される浴室空調装置は、浴室の空調を行う際、浴室から屋外に排気される空気から熱を回収して空調するが、熱交換器において屋外への排出空気のもつ熱を全て回収することは出来ないため、浴室を空調した熱（冷熱）の一部が屋外に漏洩することにより熱損失が生じ、熱効率が悪いという課題があった。
【０００６】
また、浴室以外の場所、例えば脱衣室を空調しようとすると、空調した空気を浴室と脱衣室に分流する構成となっているため、空調した空気の一部が浴室にも吹き出されてしまい空調効率が悪く、また脱衣室のみを個別で空調することができないという課題があった。
【０００７】
また、特許文献２に例示される浴室空調装置は、浴室を空調した熱の漏洩は少ないが、ヒートポンプを浴室内と室外に分離しているため、各々を接続するための冷媒配管工事が必要となり施工性が悪く、室外機のスペースも必要になるという課題があった。
【０００８】
本発明は上記従来の課題を解決するものであり、浴室を空調した熱（冷熱）の漏洩を無くし熱効率を向上することができ、また、浴室以外の室内空間、たとえば脱衣室のみを効率よく個別に空調することができ、さらに省スペースと施工性の向上を図ることができる浴室空調装置を提供することを目的としている。
【課題を解決するための手段】
【０００９】
上記した目的を解決するために、本発明が講じた第１の課題解決手段は、室内空間１、例えば浴室２に開口した吸込口１８から空気を吸込んで、前記浴室２に開口した吹出口１９から空気を吹き出す循環ファン２２と、前記浴室２以外の室内空間のうち、ある室内空間Ａに開口した排気口から空気を吸い込んでその空気の少なくとも一部を屋外に排出する換気ファン１５と、冷媒を圧縮する圧縮機３３、空気と冷媒を熱交換させる第一熱交換器３４、冷媒を膨張させる第一膨張機構３５、空気と冷媒を熱交換させる第三熱交換器３８の順に冷媒を循環させる冷媒回路３２を備え、冷媒が前記第二熱交換器３６と前記第三熱交換器３８のうち少なくとも一方にて前記換気ファン１５によって吹き出される空気から吸熱し、前記第一熱交換器３４にて前記循環ファン２２によって吹き出される空気に放熱することにより前記浴室２を暖房するものである。
【００１０】
この手段により、室内空間から屋外へ排気する空気から熱を回収、すなわち排熱回収して浴室を循環する空気に供給できる。この室内空間は冬場、外気よりも熱を多く持っているため、外気から熱を吸収して浴室を循環する空気に供給するよりも熱効率がよい。さらに、第一熱交換器３４において加熱された空気は浴室２外に排出されないので効果的に浴室２を暖房でき、熱効率を向上できる。また、圧縮機３３、第一熱交換器３４、第一膨張機構３５、第二熱交換器３６、第三熱交換器３８を一体で本体７内に収納することができる。このため、屋外に室外機を置く必要がなく、また施工時に冷媒配管工事を行う必要がないため、省スペース化と施工性の向上ができる。
【００１１】
また、本発明が講じた第２の課題解決手段は、圧縮機３３の吐出側から第一熱交換器３４に至る冷媒回路３２中から分岐し第一膨張機構３５から第二熱交換器３６に至る冷媒回路３２中に合流する第一バイパス回路４０と、前記第一バイパス回路中に介設された第一開閉弁４３を備えるものである。
【００１２】
この手段により、低温時に第二熱交換器３６または第三熱交換器３８に霜が付着した際、第一バイパス回路４０を開放することによって高温の冷媒を第二熱交換器３６と第三熱交換器３８にして付着した霜の除去を行うことができる。
【００１３】
また、本発明が講じた第３の課題解決手段は、第二熱交換器３６から第三熱交換器３８に至る冷媒回路３２中に介設され冷媒を膨張させる第二膨張機構３７を備え、換気ファン１５によって吹き出される空気が前記第二熱交換器３６を通る空気と前記第三熱交換器３８を通る空気に分かれるようにし、前記第二熱交換器３６において熱交換された空気を室内空間Ａに開口した送風口から吹き出すものである。
【００１４】
この手段により、第二熱交換器３６において熱交換された空気を浴室２以外の室内空間のうち、室内空間Ａ、例えば脱衣室３やトイレ４に送風できるので、脱衣室３やトイレ４も空調することができる。また、第一膨張機構３５を全開にし、第二膨張機構３７において冷媒を膨張させることにより、浴室２以外の室内空間、例えば脱衣室３やトイレ４を浴室と個別に空調することができる。
【００１５】
また、本発明が講じた第４の課題解決手段は、第二熱交換器３６から第三熱交換器３８へ至る冷媒回路３２中に介設された冷媒を膨張させる第二膨張機構３７を備え、換気ファン１５によって吹き出される空気が前記第二熱交換器３６を通る空気と前記第三熱交換器３８を通る空気に分かれるようにし、第二熱交換器３６において熱交換された空気を室内空間Ａに開口した送風口から吹き出すか、もしくは屋外へ排出するかを切り換える風路切換手段３１を備えるものである。
【００１６】
この手段により、第二熱交換器３６において熱交換された空気を浴室２以外の室内空間、例えば脱衣室３やトイレ４に送風できるので、脱衣室３やトイレ４も空調することができ、さらに風路切換手段３１を備えたので、浴室２以外の室内空間に対して空調空気の送風をオンオフできる。また、第一膨張機構３５を全開状態にし第二膨張機構３７の開度を調整することによって、浴室２以外の室内空間、例えば脱衣室３やトイレ４  を浴室とは個別に空調することができる。
【００１７】
また、本発明が講じた第５の課題解決手段は、排気口から換気ファン１５の吸込側に至る風路を開閉する開閉装置を備えるものである。
【００１８】
この手段により、２室以上の室内空間に排気口が開口している場合に浴室２以外の室内空間に送風するとき、この開閉装置を閉じることによって送風する空気に混合させたくない室内空間からの空気を吸入させなくすることができる。
【００１９】
また、本発明が講じた第６の課題解決手段は、冷媒の流れ方向を圧縮機３３、第三熱交換器３８、第二熱交換器３６、第一膨張機構３５、第一熱交換器３４の順番に切り換える流路切換弁３９を備え、第三熱交換器３８において、または第二熱交換器３６と第三熱交換器３８の両方において前記換気ファン１５により送風される空気に対して冷媒が放熱し、第一熱交換器３４において循環ファン２２により浴室２内を循環する空気から冷媒が吸熱することによって浴室２を冷房するものである。
【００２０】
この手段により、室内空間から屋外へ排出する空気から冷熱を回収して浴室を循環する空気に供給できる。この室内空間は夏場、外気よりも冷熱を多く持っているので外気から冷熱を吸収するよりも熱効率がよい。そして、浴室２内を循環する空気を冷却でき、またその冷却空気は浴室２外に排出されないので効果的に浴室内を冷房することができ、熱効率を向上することができる。
【００２１】
また、本発明が講じた第７の課題解決手段は、圧縮機３３の吐出側から第一膨張機構３５に至る冷媒回路３２中から分岐して、前記第一膨張機構３５から前記圧縮機３３の吸入側に至る冷媒回路３２中に合流するバイパス回路と、前記バイパス回路を開閉する開閉弁を備えたものである。
【００２２】
この手段により、低温時に第二熱交換器３６または第三熱交換器３８に霜が付着した場合に冷媒回路３２の高圧側と低圧側をバイパス回路を開放し、高温の冷媒を第二熱交換器３６または第三熱交換器３８に流す若しくは第二熱交換器３６または第三熱交換器３８内の冷媒圧力を上昇させて付着した霜の除去を行うことができる。
【００２３】
また、本発明が講じた第８の課題解決手段は、圧縮機３３の吐出側から第一熱交換器３４に至る冷媒回路３２中から分岐し、第二熱交換器３６から第三熱交換器３８に至る冷媒回路３２中に合流する第二バイパス回路４１と、第二バイパス回路４１中に介設された第二開閉弁４４を備えるものである。
【００２４】
この手段により、低温時に第三熱交換器３８に霜が付着した際、第二バイパス回路４１を開放することによって高温の冷媒を第三熱交換器３８に流すことにより、付着した霜の除去を行うことができる。
【００２５】
また、本発明が講じた第９の課題解決手段は、第一熱交換器３４の冷媒が流れる配管中に冷媒を減圧する減圧手段を更に備え、前記減圧手段の下流側の冷媒が循環ファン２２により送風される空気から吸熱した後、前記減圧手段の上流側の冷媒が放熱することによって浴室２内を除湿するものである。
【００２６】
この手段により、循環ファン２２によって浴室２内を循環する空気を、第一熱交換器３４の減圧手段の下流側において放熱させ、減圧手段の上流側において吸熱させることにより浴室２内の空気を除湿でき、除湿された空気は浴室２外部に排出されないので効率よく除湿が行える。
【００２７】
また、本発明が講じた第１０の課題解決手段は、浴室２を暖房、冷房あるいは除湿して空調を行う場合は、換気ファン１５のみを運転させて排気口が開口した空間の換気を行う場合に対して前記換気ファン１５の風量を増加させるものである。
【００２８】
この手段により、第三熱交換器３８における、または第二熱交換器３６と第三熱交換器３８における吸熱量（放熱量）を増加させて十分な空調能力が得られる。
【００２９】
また、本発明が講じた第１１の課題解決手段は、排気口に吸い込まれる空気を、浴室２以外に設置された空調機１７によって空調された空気としたものである。
【００３０】
この手段により、浴室２以外に設置された空調機１７によって空調された空気を吸い込んで第二熱交換器３６と第三熱交換器３８に送風するので、浴室２以外に設置された空調機１７によって発生した熱エネルギーを回収できる。
【００３１】
また、本発明が講じた第１２の課題解決手段は、浴室２内と換気ファン１５の吸込側を連通する浴室換気通路２４と、前記浴室換気通路２４を開閉する開閉装置２７とを備え、前記浴室２を空調する場合は前記開閉装置２７を閉状態に設定し、前記浴室２の換気や乾燥を行う場合は前記開閉装置２７を開状態に設定するものである。
【００３２】
この手段により、浴室２を空調する場合は浴室換気通路２４を閉状態にして、浴室２内の空気を排出せずに効率よく空調を行い、浴室２を換気や乾燥をする場合は浴室換気通路２４を開状態にして、浴室２内の空気を速やかに排出できる。
【００３３】
また、本発明が講じた第１３の課題解決手段は、浴室２を乾燥する場合に、前記浴室換気通路を通って屋外に排出される空気から第二熱交換器３６と第三熱交換器３８の少なくとも一方において冷媒が吸熱するものである。
【００３４】
この手段により、浴室２から屋外へ排出される空気から熱を回収することによって効率よく浴室２を乾燥することができる。
【００３５】
また、本発明が講じた第１４の課題解決手段は、浴室換気通路２４を吸込口１８を介して浴室２内と連通させたものである。
【００３６】
この手段により、浴室換気通路２４を吸込口１８と連通させることによって、吸込口１８に設置されるフィルター２０の清掃を簡略化できる。
【００３７】
また、本発明が講じた第１５の課題解決手段は、循環ファン２２が送風する空気の少なくとも一部を加熱する補助ヒーター２３を備えたものである。
【００３８】
この手段により、低温時における浴室２暖房能力不足を補填できる。
【００３９】
また、本発明が講じた第１６の課題解決手段は、補助ヒーター２３を浴室２内に輻射熱を放散する輻射式のヒーターとしたものである。
【００４０】
この手段により、低温時における浴室２暖房能力不足を補填でき、入浴時のドラフト感を軽減できる。
【００４１】
また、本発明が講じた第１７の課題解決手段は、換気ファン１５によって第三熱交換器３８に、または第二熱交換器３６と第三熱交換器３８に供給される前の空気を予熱する予熱ヒーター５０を備えたものである。
【００４２】
この手段では、低温時、予熱ヒーター５０で第二熱交換器３６と第三熱交換器３８に供給される前の空気を加熱することによって、第二熱交換器３６と第三熱交換器３８に付着する霜を除去または霜の付着を抑制できる。
【００４３】
また、本発明が講じた第１８の課題解決手段は、第一熱交換器３４もしくは第二熱交換器３６もしくは第三熱交換器３８の冷媒温度に基づいて流路切換弁３９を切り換えるものである。
【００４４】
この手段により、低温時、第一熱交換器３４もしくは第二熱交換器３６もしくは第三熱交換器３８に霜が付着した場合、冷媒の温度に基づいて流路切換弁３９を切り換えることにより霜の除去を行うことができる。
【００４５】
また、本発明が講じた第１９の課題解決手段は、第三熱交換器３８に、または第二熱交換器３６と第三熱交換器３８の両方に対して直列もしくは並列となるように冷媒回路３２中に冷媒を加熱する冷媒加熱手段４７を介在させたものである。
【００４６】
この手段により、低温時、第二熱交換器３６または第三熱交換器３８に霜が付着するなどして吸熱能力が低下した場合、冷媒加熱手段４７を作動させることにより、吸熱不足を補填し、また、付着した霜を除去することができる。
【００４７】
また、本発明が講じた第２０の課題解決手段は、冷媒加熱手段４７を、電熱により冷媒を加熱する冷媒加熱ヒーター４６としたものである。
【００４８】
この手段により、冷媒加熱手段４７を小型化できる。
【００４９】
また、本発明が講じた第２１の課題解決手段は、冷媒加熱手段４７を、給湯水との熱交換により冷媒を加熱する冷媒−水熱交換器５７としたものである。
【００５０】
この手段により、電力の使用を抑制できる。
【００５１】
また、本発明が講じた第２２の課題解決手段は、冷媒−水熱交換器５７に供給される給湯水に、ヒートポンプ式給湯機で加熱された湯を用いるものである。
【００５２】
この手段により、電力の使用を抑制できる。
【００５３】
また、本発明が講じた第２３の課題解決手段は、冷媒−水熱交換器５７で冷媒との熱交換をした後の給湯水を、第一熱交換器３４或いは第二熱交換器３６或いは第三熱交換器３８に生じた結露水を排水する排水経路を通じて装置外部に排水する構成としたものである。
【００５４】
この手段により、第一熱交換器３４或いは第二熱交換器３６或いは第三熱交換器３８に生じた結露水を排水する排水経路を利用して、排水経路数を増やさずに施工を簡略化できる。
【００５５】
また、本発明が講じた第２４の課題解決手段は、換気ファン１５は２つの羽根車６６，６７を備え、一方の羽根車６６は浴室２以外の室内空間から空気を吸込んで第二熱交換器３６と第三熱交換器３８に送風し、他方の羽根車６７は別の室内空間から吸込んだ空気を熱交換させないで屋外に送風するものである。
【００５６】
この手段により、換気ファン１５が浴室２以外の室内空間から吸込む空気のうち、他の室内空間の空気と混合したくない室内空間、例えばトイレの空気を含む場合、その混合したくない空気を単独で屋外へ排出することができる。
【００５７】
また、本発明が講じた第２５の課題解決手段は、換気ファン１５から第二熱交換器３６および第三熱交換器３８に至る風路２９から分岐し屋外へ連通する直接換気風路６９と、前記風路２９と直接換気風路６９との分岐点に直接換気風路切換手段７０を備え、換気ファン１５から吹き出す空気が第二熱交換器３６および第三熱交換器３８を介さないで屋外へ吹き出されるものである。
【００５８】
この手段により、換気を行う際に、第二熱交換器３６または第三熱交換器３８を介さずに屋外へ排気できるので圧損が低減されて、換気ファンが吹き出す風量を増加されるので、換気能力を向上できる。
【発明の効果】
【００５９】
本発明は室内空間１から屋外へ排出する空気から熱（冷熱）を回収し、浴室２を循環する空気に熱（冷熱）を供給することにより、外気から熱（冷熱）を吸収するよりも熱（冷熱）を多く回収でき、熱（冷熱）を供給した空気を浴室２から排出しないので熱効率を向上することができる。また、風路切換手段３１を備えたので、浴室２以外の室内空間、例えば脱衣室３を浴室２とは個別に効率よく空調することができる。
【００６０】
本発明の請求項１記載の浴室空調装置は、第二熱交換器３６と第三熱交換器３８の少なくとも一方において、換気ファン１５によって屋外へ排出される浴室２以外の室内空間、例えば脱衣室３やトイレ４の空気から冷媒が吸熱し、第一熱交換器３４において、循環ファン２２によって室内空間１、例えば浴室２内を循環する空気に冷媒が放熱することにより、ヒートポンプを動作させて浴室２の暖房を行うものである。これにより、第一熱交換器３４において加熱された空気は浴室２外に排出されず、効果的に浴室２を暖房でき、熱効率を向上できる。また、圧縮機３３、第一熱交換器３４、第一膨張機構３５、第二熱交換器３６、第三熱交換器３８を一体で本体７内に収納することができる。このため、屋外に室外機を置く必要がなく、また施工時に冷媒配管工事を行う必要がないため、省スペース化と施工性の向上ができる。
【００６１】
また、本発明の請求項２記載の浴室空調装置は、低温時に第二熱交換器３６または第三熱交換器３８に霜が付着した際、第一バイパス回路４０を開放することによって高温の冷媒を第二熱交換器３６と第三熱交換器３８にして付着した霜の除去を行うことができる。
【００６２】
また、本発明の請求項３記載の浴室空調装置は、第二熱交換器３６において熱交換された空気を浴室２以外の室内空間、例えば脱衣室３やトイレ４に送風するようにしたので、脱衣室３やトイレ４も空調することができる。また、第一膨張機構３５を全開にし第二膨張機構３７の開度を調整することによって、浴室２以外の室内空間、例えば脱衣室３やトイレ４を浴室とは個別に空調することができる。
【００６３】
また、本発明の請求項４記載の浴室空調装置は、第二熱交換器３６において熱交換された空気を浴室２以外の室内空間、例えば脱衣室３やトイレ４に送風するようにしたので、脱衣室３やトイレ４も空調することができ、さらに風路切換手段３１を備えたので、浴室２以外の室内空間に対して空調空気の送風をオンオフできる。また、第一膨張機構３５を全開状態にし第二膨張機構３７の開度を調整することによって、浴室２以外の室内空間、例えば脱衣室３やトイレ４を浴室とは個別に空調することができる。
【００６４】
また、本発明の請求項５記載の浴室空調装置は、２室以上の室内空間に排気口が開口している場合に浴室２以外の室内空間に送風するとき、開閉装置を閉じることによって送風する空気に混合させたくない室内空間からの空気を吸入させなくすることができる。
【００６５】
また、本発明の請求項６記載の浴室空調装置は、冷媒を流す方向を圧縮機３３、第三熱交換器３８、第二熱交換器３６、第一膨張機構３５、第一熱交換器３４の順にすることによって、第三熱交換器３８において、または第二熱交換器３６と第三熱交換器３８において換気ファン１５によって浴室２以外の室内空間から屋外へ排出する空気に対して冷媒が放熱し、第一熱交換器３４において循環ファン２２によって浴室２内を循環する空気から冷媒が吸熱するので、効果的に浴室内を冷房することができ、熱効率が向上する。
【００６６】
また、本発明の請求項７記載の浴室空調装置は、低温時に第二熱交換器３６または第三熱交換器３８に霜が付着した場合に冷媒回路３２の高圧側と低圧側をバイパス回路を開放し、高温の冷媒を第二熱交換器３６または第三熱交換器３８に流す若しくは第二熱交換器３６または第三熱交換器３８内の冷媒圧力を上昇させて付着した霜の除去を行うことができる。
【００６７】
また、本発明の請求項８記載の浴室空調装置は、低温時に第三熱交換器３８に霜が付着した際、第二バイパス回路４１を開放することによって高温の冷媒を第三熱交換器３８に流すことにより、付着した霜の除去を行うことができる。
【００６８】
また、本発明の請求項９記載の浴室空調装置は、循環ファン２２によって浴室２内を循環する空気を、第一熱交換器３４の減圧手段の下流側において放熱させ、減圧手段の上流側において吸熱させることにより浴室２内の空気を除湿でき、除湿された空気は浴室２外部に排出されないので効率よく除湿が行える。
【００６９】
また、本発明の請求項１０記載の浴室空調装置は、浴室２内を空調する場合に排気口が開口した浴室２以外の室内空間の換気のみを行う場合よりも換気ファン１５の風量を増加させるものであり、これにより、第三熱交換器３８における、または第二熱交換器３６と第三熱交換器３８における吸熱量（放熱量）を増加させて十分な空調能力が得られる。
【００７０】
また、本発明の請求項１１記載の浴室空調装置は、浴室２以外に設置された空調機１７によって空調された空気を吸い込んで第二熱交換器３６と第三熱交換器３８に送風するので、浴室２以外に設置された空調機１７によって発生した熱エネルギーを回収できる。
【００７１】
また、本発明の請求項１２記載の浴室空調装置は、浴室２を空調する場合は浴室換気通路２４を閉状態にして、浴室２内の空気を排出せずに効率よく空調を行い、浴室２を換気や乾燥をする場合は浴室換気通路２４を開状態にして、浴室２内の空気を速やかに排出できる。
【００７２】
また、本発明の請求項１３記載の浴室空調装置は、浴室２から屋外へ排出される空気から熱を回収することによって効率よく浴室２を乾燥することができる。
【００７３】
また、本発明の請求項１４記載の浴室空調装置は、浴室換気通路２４を吸込口１８と連通させることによって、吸込口１８に設置されるフィルター２０の清掃を簡略化できる。
【００７４】
また、本発明の請求項１５記載の浴室空調装置は、低温時における浴室２の暖房能力不足を補填できる。
【００７５】
また、本発明の請求項１６記載の浴室空調装置は、低温時における浴室２の暖房能力不足を補填でき、入浴時のドラフト感を軽減できる。
【００７６】
また、本発明の請求項１７記載の浴室空調装置は、低温時、予熱ヒーター５０で第二熱交換器３６と第三熱交換器３８に供給される前の空気を加熱することによって、第二熱交換器３６と第三熱交換器３８に付着する霜を除去または霜の付着を抑制できる。
【００７７】
また、本発明の請求項１８記載の浴室空調装置は、低温時、第一熱交換器３４もしくは第二熱交換器３６もしくは第三熱交換器３８に霜が付着した場合、冷媒の温度に基づいて流路切換弁３９を切り換えることにより霜の除去を行うことができる。
【００７８】
また、本発明の請求項１９記載の浴室空調装置は、低温時、第二熱交換器３６または第三熱交換器３８に霜が付着するなどして吸熱能力が低下した場合、冷媒加熱手段４７を作動させることにより、吸熱不足を補填し、また、付着した霜を除去するものである。
【００７９】
また、本発明の請求項２０記載の浴室空調装置は、冷媒加熱手段４７を電熱により冷媒を加熱する冷媒加熱ヒーターにしたので、冷媒加熱手段４７を小型化できる。
【００８０】
また、本発明の請求項２１記載の浴室空調装置は、冷媒加熱手段４７を給湯水による冷媒を加熱する冷媒−水熱交換器としたので、電力の使用を抑制できる。
【００８１】
また、本発明の請求項２２記載の浴室空調装置は、冷媒−水熱交換器５７に供給される給湯水をヒートポンプ式給湯器で加熱された湯としたので、電力使用を抑制できる。
【００８２】
また、本発明の請求項２３記載の浴室空調装置は、第一熱交換器３４或いは第二熱交換器３６或いは第三熱交換器３８に生じた結露水を排水する排水経路を利用することにより、排水経路数を増やさずに施工を簡略化できる。
【００８３】
また、本発明の請求項２４記載の浴室空調装置は、換気ファン１５が浴室２以外の室内空間から吸込む空気のうち、他の室内空間の空気と混合したくない室内空間、例えばトイレの空気を含む場合、その混合したくない空気を単独で屋外へ排出することができる。
【００８４】
また、本発明の請求項２５記載の浴室空調装置は、換気を行う際に、第二熱交換器３６または第三熱交換器３８を介さずに屋外へ排気できるので圧損が低減され、換気ファンが吹き出す風量を増加することにより、換気能力を向上できる。
【発明を実施するための最良の形態】
【００８５】
本発明は、浴室２以外の室内空間から屋外へ排出する空気より熱（冷熱）を回収し、浴室２を循環する空気に熱（冷熱）を供給して浴室の空調を行うものである。以下に本発明を実施するための最良の形態を述べる。
【００８６】
本発明の請求項１記載の浴室空調装置は、室内空間１、例えば浴室２に開口した吸込口１８から空気を吸い込んで前記浴室２に開口した吹出口１９から空気を吹き出す循環ファン２２と、前記浴室２以外の屋内の室内空間のうち、トイレ、脱衣室、リビング、居室などの屋内のある室内空間Ｂに開口した排気口から空気を吸い込んでその空気の少なくとも一部を屋外に排出する換気ファン１５と、冷媒を圧縮する圧縮機３３、空気と冷媒を熱交換させる第一熱交換器３４、冷媒を膨張させる第一膨張機構３５、空気と冷媒を熱交換させる第二熱交換器３６、空気と冷媒を熱交換させる第三熱交換器３８の順に冷媒を循環させる冷媒回路３２を備え、冷媒が前記第二熱交換器３６と前記第三熱交換器３８のうち少なくとも一方にて前記換気ファン１５によって吹き出される空気から吸熱し、前記第一熱交換器３４にて前記循環ファン２２によって吹き出される空気に放熱することにより前記浴室２を暖房するものであり、第一熱交換器３４において加熱された空気は浴室２外に排出されず、効果的に浴室２を暖房でき、熱効率を向上できるとともに、圧縮機３３、第一熱交換器３４、第一膨張機構３５、第二熱交換器３６、第三熱交換器３８を一体で本体７内に収納することができ、省スペース化ができるという作用を有する。さらに、屋外に室外機を置く必要がなく、また施工時に冷媒配管工事を行う必要がないため、施工性の向上ができるという作用を有する。
【００８７】
また、本発明の請求項２記載の浴室空調装置は、圧縮機３３の吐出側から第一熱交換器３４に至る冷媒回路３２中から分岐し第一膨張機構３５から第二熱交換器３６に至る冷媒回路３２中に合流する第一バイパス回路４０と、前記第一バイパス回路中に介設された第一開閉弁４３を備えたものであり、低温時に第二熱交換器３６または第三熱交換器３８に霜が付着した際、第一バイパス回路４０を開放することによって高温の冷媒を第二熱交換器３６と第三熱交換器３８に流すことにより、付着した霜の除去を行うことができるという作用を有する。
【００８８】
また、本発明の請求項３記載の浴室空調装置は、第二熱交換器３６から第三熱交換器３８に至る冷媒回路３２中に介設され冷媒を膨張させる第二膨張機構３７を備え、換気ファン１５によって吹き出される空気が前記第二熱交換器３６を通る空気と前記第三熱交換器３８を通る空気に分かれるようにし、前記第二熱交換器３６において熱交換された空気を室内空間Ａに開口した送風口から吹き出すものであり、第二熱交換器３６において熱交換された空気を浴室２以外の室内空間、例えば脱衣室３やトイレ４に送風するようにしたので、脱衣室３やトイレ４も空調することができるとともに、第一膨張機構３５を全開にし第二膨張機構３７の開度を調整することによって、浴室２以外の室内空間、例えば脱衣室３やトイレ４を浴室とは個別に空調することができるという作用を有する。
【００８９】
また、本発明の請求項４記載の浴室空調装置は、第二熱交換器３６から第三熱交換器３８へ至る冷媒回路３２中に介設された冷媒を膨張させる第二膨張機構３７を備え、換気ファン１５によって吹き出される空気が前記第二熱交換器３６を通る空気と前記第三熱交換器３８を通る空気に分かれるようにし、第二熱交換器３６において熱交換された空気を室内空間Ａに開口した送風口から吹き出すか、もしくは屋外へ排出するかを切り換える風路切換手段３１を備えたものであり、第二熱交換器３６において熱交換された空気を浴室２以外の室内空間、例えば脱衣室３やトイレ４に送風するようにしたので、脱衣室３やトイレ４も空調することができ、さらに風路切換手段３１を備えたので、浴室２以外の室内空間に対して空調空気の送風をオンオフできるとともに、第一膨張機構３５を全開状態にし第二膨張機構３７の開度を調整することによって、浴室２以外の室内空間、例えば脱衣室３やトイレ４を浴室とは個別に空調することができるという作用を有する。
【００９０】
また、本発明の請求項５記載の浴室空調装置は、排気口から換気ファン１５の吸込側に至る風路を開閉する開閉装置を備えるものであり、２室以上の室内空間に排気口が開口している場合に浴室２以外の室内空間に送風するとき、この開閉装置を閉じることによって送風する空気に混合させたくない室内空間からの空気を吸入させなくすることができるという作用を有する。
【００９１】
また、本発明の請求項６記載の浴室空調装置は、冷媒の流れ方向を圧縮機３３、第三熱交換器３８、第二熱交換器３６、第一膨張機構３５、第一熱交換器３４の順番に切り換える流路切換弁３９を備え、第三熱交換器３８において、または第二熱交換器３６と第三熱交換器３８の両方において前記換気ファン１５により送風される空気に対して冷媒が放熱し、第一熱交換器３４において循環ファン２２により浴室２内を循環する空気から冷媒が吸熱することによって浴室２を冷房するものであり、冷媒を流す方向を圧縮機３３、第三熱交換器３８、第二熱交換器３６、第一膨張機構３５、第一熱交換器３４の順にすることによって、第三熱交換器３８において、または第二熱交換器３６と第三熱交換器３８において換気ファン１５によって浴室２以外の室内空間から屋外へ排出する空気に対して冷媒が放熱し、第一熱交換器３４において循環ファン２２によって浴室２内を循環する空気から冷媒が吸熱するので、効果的に浴室内を冷房することができ、熱効率が向上するという作用を有する。
【００９２】
また、本発明の請求項７記載の浴室空調装置は圧縮機３３の吐出側から第一膨張機構３５に至る冷媒回路３２中から分岐して、前記第一膨張機構３５から前記圧縮機３３の吸入側に至る冷媒回路３２中に合流するバイパス回路と、前記バイパス回路を開閉する開閉弁を備えたものであり、低温時に第二熱交換器３６または第三熱交換器３８に霜が付着した場合に冷媒回路３２の高圧側と低圧側をバイパス回路を開放し、高温の冷媒を第二熱交換器３６または第三熱交換器３８に流す若しくは第二熱交換器３６または第三熱交換器３８内の冷媒圧力を上昇させて付着した霜の除去を行うことができるという作用を有する。
【００９３】
また、本発明の請求項８記載の浴室空調装置は、圧縮機３３の吐出側から第一熱交換器３４に至る冷媒回路３２中から分岐し、第二熱交換器３６から第三熱交換器３８に至る冷媒回路３２中に合流する第二バイパス回路４１と、第二バイパス回路４１中に介設された第二開閉弁４４を備えるものであり、低温時に第三熱交換器３８に霜が付着した際、第二バイパス回路４１を開放することによって高温の冷媒を第三熱交換器３８に流すことにより、付着した霜の除去を行うことができるという作用を有する。
【００９４】
また、本発明の請求項９記載の浴室空調装置は、第一熱交換器３４の冷媒が流れる配管中に冷媒を減圧する減圧手段を更に備え、前記減圧手段の下流側の冷媒が循環ファン２２により送風される空気から吸熱した後、前記減圧手段の上流側の冷媒が放熱することによって浴室２内を除湿するものであり、循環ファン２２によって浴室２内を循環する空気を、第一熱交換器３４の減圧手段の下流側において放熱させ、減圧手段の上流側において吸熱させることにより浴室２内の空気を除湿でき、除湿された空気は浴室２外部に排出されないので効率よく除湿が行えるという作用を有する。
【００９５】
また、本発明の請求項１０記載の浴室空調装置は、浴室２を暖房、冷房あるいは除湿して空調を行う場合は、換気ファン１５のみを運転させて排気口（＊）が開口した空間の換気を行う場合に対して前記換気ファン１５の風量を増加させるものであり、第三熱交換器３８における、または第二熱交換器３６と第三熱交換器３８における吸熱量（放熱量）を増加させて十分な空調能力が得られるという作用を有する。
【００９６】
また、本発明の請求項１１記載の浴室空調装置は、排気口に吸い込まれる空気を、浴室２以外に設置された空調機１７によって空調された空気としたものであり、浴室２以外に設置された空調機１７によって発生した熱エネルギーを回収できるという作用を有する。
【００９７】
また、本発明の請求項１２記載の浴室空調装置は、浴室２内と換気ファン１５の吸込側を連通する浴室換気通路と、前記浴室換気通路を開閉する開閉装置とを備え、前記浴室２を空調する場合は前記開閉装置を閉状態に設定し、前記浴室２の換気や乾燥を行う場合は前記開閉装置を開状態に設定するものであり、浴室２を空調する場合は浴室換気通路を閉状態にして、浴室２内の空気を排出せずに効率よく空調を行い、浴室２を換気や乾燥をする場合は浴室換気通路を開状態にして、浴室２内の空気を速やかに排出できるという作用を有する。
【００９８】
また、本発明の請求項１３記載の浴室空調装置は、浴室２を乾燥する場合に、前記浴室換気通路を通って屋外に排出される空気から第二熱交換器３６と第三熱交換器３８の少なくとも一方において冷媒が吸熱するものであり、浴室２から屋外へ排出される空気から熱を回収することによって効率よく浴室２を乾燥することができるという作用を有する。
【００９９】
また、本発明の請求項１４記載の浴室空調装置は、浴室換気通路を吸込口１８を介して浴室２内と連通させたものであり、浴室換気通路を吸込口１８と連通させることによって、吸込口１８に設置されるフィルター２０の清掃を簡略化できるという作用を有する。
【０１００】
また、本発明の請求項１５記載の浴室空調装置は、循環ファン２２が送風する空気の少なくとも一部を加熱する補助ヒーター２３を備えたものであり、低温時における浴室２暖房能力不足を補填できるという作用を有する。
【０１０１】
また、本発明の請求項１６記載の浴室空調装置は、補助ヒーター２３を浴室２内に輻射熱を放散する輻射式のヒーターとしたものであり、低温時における浴室２暖房能力不足を補填でき、入浴時のドラフト感を軽減できるという作用を有する。
【０１０２】
また、本発明の請求項１７記載の浴室空調装置は、換気ファン１５によって第二熱交換器３６に、または第二熱交換器３６と第三熱交換器３８に供給される前の空気を予熱する予熱ヒーター５０を備えたものであり、低温時、予熱ヒーター５０で第二熱交換器３６と第三熱交換器３８に供給される前の空気を加熱することによって、第二熱交換器３６と第三熱交換器３８に付着する霜を除去または霜の付着を抑制できるという作用を有する。
【０１０３】
また、本発明の請求項１８記載の浴室空調装置は、第一熱交換器３４もしくは第二熱交換器３６もしくは第三熱交換器３８の冷媒温度に基づいて流路切換弁３９を切り換えるものであり、低温時、第一熱交換器３４もしくは第二熱交換器３６もしくは第三熱交換器３８に霜が付着した場合、冷媒の温度に基づいて流路切換弁３９を切り換えることにより霜の除去を行うことができるという作用を有する。
【０１０４】
また、本発明の請求項１９記載の浴室空調装置は、第三熱交換器３８に、または第二熱交換器３６と第三熱交換器３８の両方に対して直列もしくは並列となるように冷媒回路３２中に冷媒を加熱する冷媒加熱手段４７を介在させたものであり、低温時、第二熱交換器３６または第三熱交換器３８に霜が付着するなどして吸熱能力が低下した場合、冷媒加熱手段４７を作動させることにより、吸熱不足を補填し、また、付着した霜を除去できるという作用を有する。
【０１０５】
また、本発明の請求項２０記載の浴室空調装置は、電熱により冷媒を加熱する冷媒加熱ヒーター４６としたものであり、冷媒加熱手段４７を小型化できるという作用を有する。
【０１０６】
また、本発明の請求項２１記載の浴室空調装置は、冷媒加熱手段４７を、給湯水との熱交換により冷媒を加熱する冷媒−水熱交換器５７としたものであり、電力の使用を抑制できるという作用を有する。
【０１０７】
また、本発明の請求項２２記載の浴室空調装置は、冷媒−水熱交換器５７に供給される給湯水に、ヒートポンプ式給湯機で加熱された湯を用いるものであり、電力使用を抑制できるという作用を有する。
【０１０８】
また、本発明の請求項２３記載の浴室空調装置は、冷媒−水熱交換器５７で冷媒との熱交換をした後の給湯水を、第一熱交換器３４或いは第二熱交換器３６或いは第三熱交換器３８に生じた結露水を排水する排水経路を通じて装置外部に排水する構成としたものであり、第一熱交換器３４或いは第二熱交換器３６或いは第三熱交換器３８に生じた結露水を排水する排水経路を利用することにより、排水経路数を増やさずに施工を簡略化できるという作用を有する。
【０１０９】
また、本発明の請求項２４記載の浴室空調装置は、換気ファン１５は２つの羽根車６６、６７を備え、一方の羽根車６６は浴室２以外の室内空間から空気を吸込んで第二熱交換器３６と第三熱交換器３８に送風し、他方の羽根車６７は別の室内空間から吸込んだ空気を熱交換させないで屋外に送風するものであり、換気ファン１５が浴室２以外の室内空間から吸込む空気のうち、他の室内空間の空気と混合したくない室内空間、例えばトイレの空気を含む場合、その混合したくない空気を単独で屋外へ排出することができるという作用を有する。
【０１１０】
また、本発明の請求項２５記載の浴室空調装置は、換気ファン１５から第二熱交換器３６および第三熱交換器３８に至る風路２９から分岐し屋外へ連通する直接換気風路６９と、前記風路２９と直接換気風路６９との分岐点に直接換気風路切換手段７０を備え、換気ファン１５から吹き出す空気が第二熱交換器３６および第三熱交換器３８を介さないで屋外へ吹き出されるものであり、換気を行う際に、第二熱交換器３６または第三熱交換器３８を介さずに屋外へ排気できるので圧損が低減され、換気ファンが吹き出す風量が増加することにより、換気能力を向上できるという作用を有する。
【０１１１】
以下、本発明の実施の形態について図面を参照しながら説明する。
【０１１２】
（実施の形態１）
図１は本発明の実施の形態１にかかる浴室空調装置が設置されている室内空間１の見取り図である。室内空間１の例としては、浴室２、脱衣室３、トイレ４、リビング５、キッチン６、寝室などがあり、例えば、その内の浴室２を室内空間Ａとして、室内空間Ａとしての浴室２の天井裏にこの浴室空調装置の本体７は設置される。この本体７には、屋外と本体７とを連通する排気ダクト８と、室内空間Ａとしての浴室２以外の室内空間の脱衣室３、トイレ４、リビング５、キッチン６、寝室、居室などの内の一つ以上の室内空間を室内空間Ｂとするが、本発明の実施の形態１では、脱衣室３を室内空間Ｂとして、その室内空間Ｂとしての脱衣室３の天井面に開口した排気口９と連通した排気ダクト１０、脱衣室の天井面に開口した送風口１１と連通した送風ダクト１２、トイレ４の天井面に開口した排気口１３と連通した排気ダクト１４が接続されている。
【０１１３】
また、本体７には換気ファン１５が内設されており、排気ダクト１０、１４はこの換気ファン１５の吸込側、送風ダクト１２と排気ダクト８はこの換気ファン１５の吹出側に接続されている。したがって、この換気ファン１５を運転すると、脱衣室３およびトイレ４の空気が換気ファン１５に吸込まれ、脱衣室３と屋外へ吹き出されることとなる。また、この換気ファン１５を連続運転すると、脱衣室３およびトイレ４の排気口９、１３から空気を吸込み、屋外へ排出しつづけるので、室内空間内部が負圧になる。
【０１１４】
すると、リビング５の屋外へ面した壁に開口した給気口１６から屋外の新鮮な外気が給気されて、室内空間の空気が入れ替わることにより換気が行われる。この換気運転は、建物の機密性が高い場合には連続して行う必要があるため（２４時間換気）、換気ファン１５は所定の風量、例えば一時間で室内空間容積の半分程度の換気量が確保できるように換気を行う。また、リビング５には部屋の温度をコントロールするための空調機１７が備えられており、夏場は冷房運転、冬場は暖房運転を行って室温を適正に保持している。したがって、前述したように年間を通じて連続した換気運転を行っていると、夏場はリビング５の空調機１７で冷房された低温の空気、冬場は空調機１７で暖房された高温の空気が、脱衣室３やトイレ４のガラリやアンダーカット部分を通じて排気口９、１３に吸込まれ、浴室空調装置の本体７を介して屋外へ排出される。
【０１１５】
図２は本体７の設置状態を表す断面図、図３はこの浴室空調装置の風路構成図図４は冷媒回路図である。図２に示すように、浴室空調装置の本体７底面には浴室２の天井面に開口するように吸込口１８、吹出口１９が配設されており、吸込口１８には着脱自在に塵埃を捕捉するフィルター２０が配設されている。図３に示すように本体７内部には吸込口１８と吹出口１９を連通する循環風路２１が形設されており、循環風路２１内に配設された循環ファン２２によって、浴室２内の空気を循環している。また、この吹出口１９近傍には、浴室２に吹き出す空気の少なくとも一部を加熱する輻射式の補助ヒーター２３が配設されており、その輻射熱は、浴室に放散するように配設されている。
【０１１６】
一方、本体７内部には、図３に示すように吸込口１８と換気ファン１５の吸込側とを連通する浴室換気通路２４が形設されている。この浴室換気通路２４には、排気ダクト１０、１４を介して排気口９、１３が連通しており、本体７と排気ダクト１０、１４の接続口には、接続口を開閉させるダンパー機構を有した開閉装置２５、２６が配設されている。また、この浴室換気通路２４には、ダンパー機構を有しこの浴室換気通路２４を開閉できる開閉装置２７が配設されている。したがって、換気ファン１５を運転する際には、排気口９、１３または吸込口１８のうち、開閉装置２５、２６、２７が開状態になっているものから空気を吸い込むことになる。また、換気ファン１５の吹出側の風路は、途中２つの風路２８、２９に分岐しており、一方の風路２８は送風口１１に至り、他方の風路２９は屋外に至っている。また、送風口１１に至る風路２８はさらに分岐しており、その分岐した風路３０は屋外に至る風路２９に連通している。この風路２８と風路３０の分岐点には、ダンパー機構を有する風路切換手段３１が配設されており、風路切換手段３１によって、風路２８が脱衣室３と連通するか屋外と連通するかを選択することができる。以上のように、本体７内には排気口９、１３から排気ダクト１０、１４、浴室換気通路２４、風路２９を介して屋外へ連通する換気風路が形成されている。
【０１１７】
また、本体７内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路３２を形設しており、図４に示すように冷媒回路３２は、冷媒を圧縮する圧縮機３３、供給空気と冷媒を熱交換させる第一熱交換器３４、冷媒を膨張させる電子式膨張弁からなる第一膨張機構３５、供給空気と冷媒を熱交換させる第二熱交換器３６、冷媒を膨張させる電子式膨張弁からなる第二膨張機構３７、供給空気と冷媒を熱交換させる第三熱交換器３８の順に冷媒が循環する構成になっている。さらに、冷媒回路３２中には、冷媒が圧縮機３３、第一熱交換器３４、第一膨張機構３５、第二熱交換器３６、第二膨張機構３７、第三熱交換器３８の順（図４中実線の矢印：暖房サイクル方向）に循環する経路と、圧縮機３３、第三熱交換器３８、第二膨張機構３７、第二熱交換器３６、第一膨張機構３５、第一熱交換器３４の順（図４中破線の矢印：冷房サイクル方向）に循環する経路とを切り換えることのできる四方弁からなる流路切換弁３９が介設されている。また、流路切換弁３９から第一熱交換器３４に至る配管から分岐して第一膨張機構３５から第二熱交換器３６に至る配管に合流する第一バイパス回路４０と、流路切換弁３９から第一熱交換器３４に至る配管から分岐して第二膨張機構３７から第三熱交換器３８に至る配管に合流する第二バイパス回路４１と、第二熱交換器３６から第二膨張機構３７へ至る配管から分岐し、第三熱交換器３８と流路切換弁３９に至る配管に合流する第三バイパス回路４２が配設されており、第一バイパス回路４０、第二バイパス回路４１、第三バイパス回路４２中には、それぞれ第一開閉弁４３、第二開閉弁４４、第三開閉弁４５が介設されている。さらに、第三バイパス回路４２中には、後述する冷媒加熱ヒーター４６或いは冷媒加熱手段４７が介設されている。
【０１１８】
また、第一熱交換器３４は循環風路２１内の循環ファン２２の吸込側、第二熱交換器３６および第三熱交換器３８は換気ファン１５の吹出側に配設されており、第二熱交換器３６は風路２８中に、第三熱交換器３８は風路２９中に配設されている。したがって、脱衣室３とトイレ４から屋外へ排出される空気に対してこの第二熱交換器３６と第三熱交換器３８の少なくともどちらかにおいて冷媒回路３２内を循環する冷媒が吸熱（または放熱）を行い、浴室２から吸込まれて浴室２に吹き出す空気に対して、この第一熱交換器３４において冷媒が放熱（または吸熱）を行うことになる。また、この第一熱交換器３４中を流れる冷媒管には冷媒を減圧させるキャピラリーチューブ４８で構成された減圧手段と、キャピラリーチューブ４８と並列に開閉弁４９が介設されており、冷媒を暖房サイクル方向に循環させたとき、浴室２から吸込まれた空気は第一熱交換器３４の減圧手段より下流側を通過して熱交換された後、減圧手段より上流側で熱交換され、浴室２に吹き出すことになる。また、図３に示すように換気風路内の第三熱交換器３８よりも上流側に、第三熱交換器３８に供給される前の空気を加熱し自己温度制御性を有する予熱ヒーター５０が配設されており、この予熱ヒーター５０を作動させると、第三熱交換器３８に供給される浴室２または脱衣室３やトイレ４の空気をあらかじめ加熱しておくことができる。また、低温時に浴室２の暖房を行い、第二熱交換器３６および第三熱交換器３８に霜が付着した際、第一開閉弁４３を開放し、圧縮機から吐出された高温の冷媒を第二熱交換器３６および第三熱交換器３８に流して各熱交換器内の冷媒配管を加熱し、霜を除去することができる。また、低温時に浴室２と脱衣室３の暖房もしくは脱衣室３の暖房を行い第三熱交換器３８に霜が付着した際、第二開閉弁４４を開放することによって、圧縮機３３から吐出された高圧高温の冷媒が第三熱交換器３８に流して熱交換器内の冷媒配管を加熱し、霜を除去することができる。また、第一熱交換器３４、第二熱交換器３６、第三熱交換器３８にはそれぞれ熱電対を用いた図示しない温度センサーが設置されており、それぞれの熱交換器３４、３６、３８のうち少なくとも一つの温度が所定の温度以下になった場合、流路切換弁３９により冷媒の流れる方向を変更して霜を除去することができる。
【０１１９】
図５は、冷媒加熱手段４７に採用できる冷媒加熱ヒーター４６の概略構成図であり、図に示すように冷媒加熱ヒーター４６は、冷媒を通す冷媒配管をコイル状に巻いて形設した冷媒管路５１と、コイル状の冷媒管路５１の内周側にＵ字状に形設した電熱管５２と、冷媒管路の入口部５３および冷媒管路の出口部５４と電熱管５２の端子部５５を除いた表面を全て覆うようにアルミなどの金属材料を鋳造して中実円筒状に形成された伝熱筒５６から構成されている。そして電熱管５２の端子部５５に所定の電圧を印加すると電熱管５２が発熱し、この熱が伝熱筒５６内を伝導して電熱管５２の外周に配設された冷媒管路５１を加熱する。冷媒管路の入口部５３から冷媒が導入され、冷媒管路５１の外周が伝熱筒５６で覆われたコイル状の部分を流れる過程で伝熱筒５６を介して加熱されて冷媒管路の出口部５４に導かれる。このようにして冷媒加熱ヒーター４６は冷媒加熱を行うものであるが、伝熱筒５６の中芯部に配設された電熱管５２が、その外周方向に配設された冷媒管路５１に対して発熱するため外部への熱漏洩が少なくとともに、電熱管５２が発した熱が伝熱筒５６を伝導して均一に冷媒管路５１を加熱することができるため熱効率が向上して冷媒加熱手段４７の小型化が図れるのである。
【０１２０】
図６は、冷媒加熱手段４７に採用できる冷媒−水熱交換器の概略構成図であり、図６に示すように冷媒−水熱交換器５７は、図示しないヒートポンプ式給湯機からの給湯水が流れる給湯管路５８の内部に冷媒が流れる冷媒管路５１を配設した二重管構造の熱交換器となっている。冷媒管路５１は、給湯管路５８の内部において二分岐され、分岐した各々が螺旋状に捩れ合うツイスト状に形設されており、これにより伝熱面積を増加させて熱交換効率の向上を図っている。そして給湯管路５８の給湯流入部５９から冷媒−水熱交換器５７内に流入した給湯水は、冷媒管路５１の外周を流れて給湯流出部６０から冷媒−水熱交換器５７外部に流出し、給湯流出部６０の下方にあるドレンパン６１に滴下する。このドレンパン６１は、第一熱交換器３４、第二熱交換器３６および第三熱交換器３８に結露したドレン水のドレン受けも兼ねており、ドレンパン６１に滴下した給湯水は、第一熱交換器３４、第二熱交換器３６および第三熱交換器３８に結露したドレン水とともに排水管６２から本体７外部に排水される。一方、冷媒管路５１の冷媒流入部６３から冷媒−水熱交換器５７内に流入した冷媒は、給湯水の流れに対向する向きで捩れ構造のツイスト管６４に各々分岐して流れ、この過程で給湯水との熱交換により加熱されて冷媒流出部６５から流出することになる。この冷媒加熱に用いられる給湯水は、ヒートポンプ式給湯機において大気の熱を利用して沸かされた温水であるため、冷媒加熱手段４７の加熱効率が向上されるとともにランニングコストが安価にできる。
【０１２１】
なお、上記構成では風路切換手段３１をダンパー構造を有するものとしたが、風路を切り換えることができればよく、これに限られたものではない。
【０１２２】
なお、上記構成では開閉装置２５、２６、２７をダンパー構造を有するものとしたが、風路を開閉することができればよく、これに限られたものではない。
【０１２３】
上記構成とすることにより、本実施の形態の浴室空調装置は換気ファン１５によって室内空間のうち脱衣室３とトイレ４から屋外へ排出する空気から熱（冷熱）を回収し、循環ファン２２によって浴室２から吸い込み浴室２に吹き出す空気に熱（冷熱）を供給することによって、室内空間１から吸い込む空気から熱を回収するほうが外気から熱を吸収する場合よりも熱（冷熱）を多く回収できるのでＣＯＰを向上することができ、熱（冷熱）を供給した空気を浴室２外に排出しないので熱効率よく浴室２を空調することができる。
【０１２４】
すなわち、浴室２以外の室内空間１の空気は夏場空調機１７により、室内冷房しているため外気よりも温度が低く、冷熱を多くもっており、また、冬場は、空調機１７により室内を暖房しているため外気よりも温度が高く多く熱をもっているので、室内空間１から吸い込む空気から熱を回収するほうが外気から熱を吸収する場合よりも熱（冷熱）を多く効率良く回収できるので、ＣＯＰ、熱効率を向上することができる。
【０１２５】
また、風路切換手段３１を備えたので、浴室２と個別に脱衣室３を空調することができる。また、冷媒回路３２、圧縮機３３、第一熱交換器３４、第二熱交換器３６、第三熱交換器３８、第一膨張機構３５、第二膨張機構３７、流路切換弁３９、第一開閉弁４３、第二開閉弁４４、第三開閉弁４５、減圧手段としてのキャピラリーチューブ４８、開閉弁４９を本体７内に一体として収納したので省スペース化と施工性の向上が可能となる。
【０１２６】
次に、この浴室空調装置の運転動作について説明する。表１、表２、表３、表４は各運転パターンにおける動作状態を示す一覧表である。表に示した一覧表において浴室空調装置の各運転パターンを列方向に順に記載しており、その各々の運転パターンにおける主要要素の動作状態を行方向に記載している。この浴室空調装置は、一覧表に示すように「常時換気運転」、「乾燥運転」、「除湿運転」、「浴室冷房運転」、「浴室暖房運転」、「脱衣室冷房運転」、「浴室・脱衣室冷房運転」、「脱衣室暖房運転」、「浴室・脱衣室暖房運転」、の９種類の運転パターンを実行することが可能である。
【０１２７】
「常時換気運転」は、室内空間１の必要換気量を確保するために２４時間連続して換気運転を行うモードであり、このとき、換気ファン１５を必要換気量が確保できる「弱ノッチ」、浴室換気通路２４内に介在する開閉装置２７を「閉鎖位置」、脱衣室３と連通する風路に介在する開閉装置２５を「開放位置」、トイレ４と連通する風路に介在する開閉装置２６を「開放位置」、風路切換手段３１を「屋外側」に設定しており、換気ファン１５が室内空間１から吸込む空気を屋外へ排気している。また、循環ファン２２、圧縮機３３は「停止状態」に設定されている。このようにして、室内空間１の必要換気量の空気を屋外に排気し、その排気分の空気を給気口１６から吸込むことにより、２４時間換気を行うモードである。
【０１２８】
次に「乾燥運転」時の運転動作について説明する。「乾燥運転」は、浴室２に洗濯物を干して乾かす衣類乾燥を行う場合に選択される運転パターンである。この「乾燥運転」を実行する場合は、換気ファン１５を「常時換気運転」時よりも風量が多い「強ノッチ」、開閉装置２５を「開放位置」、開閉装置２６を「開放位置」、開閉装置２７を「開放位置」、循環ファン２２を使用者が設定した風量で運転させる「所定ノッチ」、風路切換手段３１を「屋外側」に設定し、圧縮機３３を運転させる。また、流路切換弁３９を「暖房サイクル方向」、第一バイパス回路４０に介在する第一開閉弁４３を「閉鎖状態」、第二バイパス回路４１に介在する第二開閉弁４４を「閉鎖状態」、第三バイパス回路４２に介在する第三開閉弁４５を「閉鎖状態」、第一熱交換器３４の冷媒配管途中に介在する開閉弁４９を「開放状態」、第一膨張機構を冷媒を減圧させる「絞り状態」、第二膨張機構を「全開状態」に設定し、その他の補助ヒーター２３、予熱ヒーター５０、冷媒加熱手段４７は「停止」状態に設定する。このような設定を行うことにより、圧縮機３３で圧縮された高温高圧の冷媒が暖房サイクル方向に設定されている流路切換弁３９を通り、第一バイパス回路４０の開閉弁４９が閉鎖しているので全て第一熱交換器３４に導かれる。第一熱交換器３４には循環ファン２２が所定ノッチで運転しているため、吸込口１８から本体７内に吸い込まれた浴室２の空気が供給される。また、第一熱交換器３４の冷媒配管途中に位置する開閉弁４９は開放状態に設定されているため、第一熱交換器３４に流入した高温高圧の冷媒は極端な減圧作用を受けずに第一熱交換器３４を通過する。この過程で第一熱交換器３４に供給される浴室２の空気との熱交換が行われて冷媒が放熱する。この放熱により空気は加熱されて吹出口１９から浴室２に吹き出される。第一熱交換器３４で放熱した冷媒は、第一膨張機構３５によって減圧膨張して第二熱交換器３６に導かれる。第二熱交換器３６には換気ファン１５が強ノッチで運転しているため、排気ダクト１０および排気ダクト１４を通じて脱衣室３やトイレ４の空気が供給されるとともに、開閉装置２７が開放位置に設定されているため、浴室２の空気が吸込口１８から浴室換気通路２４を通って第二熱交換器３６に供給される。これにより第二熱交換器３６において、冷媒はその浴室２の空気、脱衣室３の空気、トイレ４の空気から吸熱する。第二熱交換器３６で冷媒は吸熱した後、第三バイパス回路４２に介在する第三開閉弁４５は閉鎖状態に設定されているため第二膨張機構３７に導かれる。第二膨張機構３７は開放状態に設定されており、ここでは冷媒は減圧膨張しない。次に冷媒は第三熱交換器３８に導かれ、ここでも冷媒は浴室２の空気、脱衣室３の空気、トイレ４の空気から吸熱する。第二熱交換器３６および第三熱交換器３８で吸熱した冷媒は、流路切換弁３９を通って圧縮機３３に戻り、冷媒回路３２を循環する。一方、第二熱交換器３６および第三熱交換器３８に供給された空気は、冷媒の吸熱によってエンタルピーが低下した後、排気ダクト８から屋外に排出される。以上の乾燥運転を実行して浴室２内に洗濯物を干すと、第一熱交換器３４で加熱された高温空気が浴室２内を循環して洗濯物からの水分蒸発を促す。洗濯物から蒸発した水分は、浴室２の空気に含まれて換気ファン１５により本体７内に吸い込まれ、第二熱交換器３６および第三熱交換器３８で熱を回収された後、屋外に排出される。この第二熱交換器３６および第三熱交換器３８には更に常時換気運転時よりも多量の空気が供給されているため冷媒の吸熱量が増加し、浴室２への放熱量も増加するため洗濯物の乾燥が速やかに行われることになる。
【０１２９】
次に「除湿運転」時の運転動作について説明する。「除湿運転」は、入浴後等にカビ抑制のため浴室２を除湿する場合に選択される運転パターンである。この「除湿運転」を実行する場合は、換気ファン１５を必要換気量が確保可能な「弱ノッチ」、開閉装置２５を「開放位置」、開閉装置２６を「開放位置」、開閉装置２７を「閉鎖位置」、循環ファン２２を使用者が設定した風量で運転させる「所定ノッチ」、風路切換手段３１を「屋外側」に設定し、圧縮機３３を運転させる。また、流路切換弁３９を「暖房サイクル方向」、第一バイパス回路４０に介在する第一開閉弁４３を「閉鎖状態」、第二バイパス回路４１に介在する第二開閉弁４４を「閉鎖状態」、第三バイパス回路４２に介在する第三開閉弁４５を「開放状態」、第一熱交換器３４の冷媒配管途中に介在する開閉弁４９を「閉鎖状態」、第一膨張機構３５を「全開状態」、第二膨張機構３７を「全開状態」に設定し、その他の補助ヒーター２３、予熱ヒーター５０、冷媒加熱手段４７は「停止」状態に設定する。このような設定を行うことにより、圧縮機３３で圧縮された高温高圧の冷媒が暖房サイクル方向に設定されている流路切換弁３９を通り、第一バイパス回路４０の第一開閉弁４３が閉鎖しているので全て第一熱交換器３４に導かれる。第一熱交換器３４には循環ファン２２が所定ノッチで運転しているため、吸込口１８から本体７内に吸い込まれた浴室２の空気が供給される。また、第一熱交換器３４の冷媒配管途中に位置する開閉弁４９が、閉鎖状態に設定されているため、第一熱交換器３４に流入した高温高圧の冷媒は、キャピラリーチューブ４８を通り、ここで減圧膨張して低温低圧となり第一熱交換器３４の残りの冷媒配管を通過する。そして循環通路２１に流入した浴室２の空気は最初に第一熱交換器３４のキャピラリーチューブ４８下流側に供給される。この第一熱交換器３４のキャピラリーチューブ４８下流側において供給空気から冷媒が吸熱することにより供給空気は冷却除湿される。この第一熱交換器３４のキャピラリーチューブ４８下流側において冷却除湿された浴室２の空気は次に第一熱交換器３４のキャピラリーチューブ４８上流側に供給される。この第一熱交換器３４のキャピラリーチューブ４８上級側においては冷媒が供給空気に対して放熱するので供給された低温低湿空気は温度のみが上昇して高温低湿の乾燥空気となり吹出口１９から浴室２に戻る。このような空気循環を繰り返すことにより浴室２内は高温低湿環境となり乾燥が進む。また、第一熱交換器３４において供給空気に対する放熱および吸熱を行った冷媒は、第一開閉弁４３が閉鎖状態になっており、第一膨張機構３５が全開状態になっているため、減圧膨張されずに第二熱交換器３６に導かれる。第二熱交換器３６において、脱衣室３、トイレ４から吸込まれ屋外へ排出される空気と冷媒が熱交換する。冷媒は第二熱交換器３６において吸熱した後、開閉弁４９が開放状態に設定されているため、第三バイパス回路４２側に流れて流路切換弁３９を介し圧縮機３３に戻って冷媒回路３２を循環する。一方、換気ファン１５は、室内空間１の必要換気量に見合う弱ノッチで運転しており、また、浴室換気通路２４に位置する開閉装置２７が閉鎖位置に設定されているため、排気ダクト１０および排気ダクト１４を通じて脱衣室３およびトイレ４の空気のみが換気ファン１５に吸い込まれて屋外に排出される。これにより室内空間１には必要換気量に相当する新鮮な外気が給気口１６から吸い込まれて換気が行なわれるとともに、浴室２においては、循環通路２２において除湿された高温低湿の乾燥空気が浴室２外部に排出されることなく乾燥効率の低下が抑制されることになる。
【０１３０】
次に「浴室冷房運転」時の運転動作について説明する。「浴室冷房運転」は、夏場の浴室清掃時等、在室者が浴室２内の温度を下げて快適に入浴や作業が行えるように浴室２内を冷房する場合に選択される運転パターンである。この「冷房運転」を実行する場合は、換気ファン１５を「常時換気運転」時よりも風量が多い「強ノッチ」、開閉装置２５を「開放位置」、開閉装置２６を「開放位置」、開閉装置２７を「閉鎖位置」、循環ファン２２を使用者が設定した風量で運転させる「所定ノッチ」、風路切換手段３１を「屋外側」に設定し、圧縮機３３を運転させる。また、流路切換弁３９を「冷房サイクル方向」、第一バイパス回路４０に介在する第一開閉弁４３を「閉鎖状態」、第二バイパス回路４１に介在する第二開閉弁４４を「閉鎖状態」、第三バイパス回路４２に介在する第三開閉弁４５を「閉鎖状態」、第一熱交換器３４の冷媒配管途中に介在する開閉弁４９を「開放状態」、第一膨張機構３５を冷媒を減圧膨張させる「絞り状態」、第二膨張機構３７を「全開状態」に設定し、その他の補助ヒーター２３、予熱ヒーター５０、冷媒加熱手段４７は「停止」状態に設定する。このような設定を行うことにより、圧縮機３３で圧縮された高温高圧の冷媒が冷房サイクル方向に設定されている流路切換弁３９を通り、第三バイパス回路４２の第三開閉弁４５が閉鎖しているので全て第三熱交換器３８に導かれる。第三熱交換器３８には換気ファン１５が強ノッチで運転しているため、排気ダクト１０および排気ダクト１４を通じて脱衣室３やトイレ４の空気が供給され、冷媒がこれら供給空気に対して放熱する。第三熱交換器３８において冷媒の放熱により高温となった空気は排気ダクト８を通って屋外に排出される。第三熱交換器３８で放熱した冷媒は、第二バイパス回路４１に介在する第二開閉弁４４が閉鎖状態であるため、全て第二膨張機構３７に導かれる。第二膨張機構３７は開放状態となっているため、冷媒は減圧膨張されず、そのまま第二熱交換器３６に導かれる。この第二熱交換器３６においても、冷媒は脱衣室３、トイレ４から吸込まれて屋外へ排出される空気と熱交換する。冷媒は第二熱交換器３６において放熱した後、第一バイパス回路４０に介在する開閉弁４９が閉鎖状態に設定されているため全て第一膨張機構３５に導かれて減圧膨張し、第一熱交換器３４に導かれる。第一熱交換器３４には、循環ファン２２が所定ノッチで運転しているため、吸込口１８から本体７内に吸い込まれた浴室２の空気が供給され、冷媒はその浴室２の空気から吸熱する。第一熱交換器３４で吸熱した冷媒は、流路切換弁３９を通って圧縮機３３に戻り、冷媒回路３２を循環する。一方、第一熱交換器３４に供給された空気は冷媒の吸熱により低温となって吹出口１９から浴室２に吹き出される。このような空気循環を繰り返すことにより浴室２内の温度が低下して冷房が可能である。また、浴室換気通路２４に位置する開閉装置２７が閉鎖位置に設定されているため、循環通路２１において冷却された低温空気が浴室２外部に排出されることなく空調効率の低下が抑制されることになる。
【０１３１】
次に「浴室暖房」時の運転動作について説明する。「浴室暖房」は、冬場に浴室内の気温が低い際、使用者が入浴する前に浴室内を暖めておくことでヒートショックを予防し、入浴時に体などを洗う際、使用者が寒さを感じずに快適に入浴できるようにする場合に選択される運転パターンである。この「冷房運転」を実行する場合は、換気ファン１５を「常時換気運転」時よりも風量が多い「強ノッチ」、開閉装置２５を「開放位置」、開閉装置２６を「開放位置」、開閉装置２７を「閉鎖位置」、循環ファン２２を使用者が設定した風量で運転させる「所定ノッチ」、風路切換手段３１を「屋外側」に設定し、圧縮機３３を運転させる。また、流路切換弁３９を「暖房サイクル方向」、第一バイパス回路４０に介在する第一開閉弁４３を「閉鎖状態」、第二バイパス回路４１に介在する第二開閉弁４４を「閉鎖状態」、第三バイパス回路４２に介在する第三開閉弁４５を「閉鎖状態」、第一熱交換器３４の冷媒配管途中に介在する開閉弁４９を「開放状態」、第一膨張機構３５を冷媒を減圧膨張させる「絞り状態」、第二膨張機構３７を「全開状態」、に設定し、その他の補助ヒーター２３、予熱ヒーター５０、冷媒加熱手段４７は「停止」状態に設定する。このような設定を行うことにより、圧縮機３３で圧縮された高温高圧の冷媒が暖房サイクル方向に設定されている流路切換弁３９を通り、第一バイパス回路４０の第一開閉弁４３が閉鎖しているので全て第一熱交換器３４に導かれる。第一熱交換器３４には循環ファン２２が所定ノッチで運転しているため、吸込口１８から本体７内に吸い込まれた浴室２の空気が供給される。また、第一熱交換器３４の冷媒配管途中に位置する開閉弁４９は、開放状態に設定されているため、第一熱交換器３４に流入した高温高圧の冷媒は極端な減圧作用を受けずに第一熱交換器３４を通過する。この過程で第一熱交換器３４に供給される浴室２の空気との熱交換が行われて冷媒が放熱する。この放熱により空気は加熱されて吹出口１９から浴室２に吹き出される。第一熱交換器３４で放熱した冷媒は、第一膨張機構３５によって減圧膨張して第二熱交換器３６に導かれる。第二熱交換器３６には換気ファン１５が強ノッチで運転しているため、排気ダクト１０および排気ダクト１４を通じて脱衣室３やトイレ４の空気が供給される。第二熱交換器３６において、冷媒はこの脱衣室３やトイレ４から吸込んだ空気より吸熱する。第二熱交換器３６を通過した冷媒は、第三開閉弁４５が閉鎖状態になっているため、全て第二膨張機構３７に導かれる。第二膨張機構３７は開放状態になっているので、冷媒は減圧膨張されることなく第二膨張機構３７を通過し、第二開閉弁４４が閉鎖状態になっているのでそのまま第三熱交換器３８に導かれる。第三熱交換器３８には、脱衣室３およびトイレ４から吸込まれ屋外へ排気される空気が流れているので、この第三熱交換器３８においても冷媒はこの空気から吸熱する。第三熱交換器３８を通過した冷媒は流路切換弁３９を通過して圧縮機３３に戻り、冷媒回路３２を循環する。一方、第二熱交換器３６および第三熱交換器３８において冷媒によって吸熱されエンタルピーが低下した空気は排気ダクト８を通って屋外へ排出される。このような運転動作により、浴室２の温度は上昇し、暖房運転が行われる。また、浴室換気通路２４中に位置する開閉装置２７は閉鎖位置になっているため、循環風路２１において加熱された空気は浴室２外部に排出されることがないため、空調効率の低下が抑制されることになる。また、入浴者の好みに応じて補助ヒーター２３の運転／停止の切り換えが可能になっている。例えば、入浴者がドラフト感を感じて循環ファン２２の風量を減らすように設定した場合、ドラフト感は減少するが、第一熱交換器３４に供給される風量の減少に伴い冷媒の放熱量も低下して浴室２の温度が低下してしまう。このような場合に補助ヒーター２３を運転されると、第一熱交換器３４を通過した空気が更に補助ヒーター２３で加熱されて高温になり浴室２に供給されるので温度低下が抑制される。更に補助ヒーター２３に輻射式のヒーターを用いた場合は、補助ヒーター２３からの輻射熱が人体に直接照射されて、より温熱感を得ることができる。このような運転動作を行うことにより、使用者が寒さを感じずに快適に入浴することができる。
【０１３２】
また、冬場に外気温が極めて低く、室内空間１の気温が著しく低い場合には、浴室２、脱衣室３、トイレ４の気温も低く換気ファンに吸込まれる空気の温度が低くなるため、暖房運転を行っているときに第二熱交換器３６、第三熱交換器３８に霜が付着する着霜現象が起こる。このような問題を抑制するために、第二熱交換器３６および第三熱交換器３８の温度を監視し、温度が所定値以下になった場合には第二熱交換器３６および第三熱交換器３８に付着した霜を除去する「除霜運転」を実行する必要がある。この「除霜運転」時の運転動作について説明する。「除霜運転」には、除霜運転時に浴室暖房を一旦停止するＡパターンと、浴室暖房を継続するＢパターンがあり、Ａパターンは浴室が所望の気温に達してその気温を維持する際や入浴前に浴室を予熱する際に行われ、Ｂパターンは厳寒時など入浴時に暖房を継続させたまま除霜運転を行いたい場合に選択される。はじめにＡパターンにおける運転動作を説明する。
【０１３３】
Ａパターンでは、基本動作は浴室暖房運転とほぼ同じだが、換気ファン１５および循環ファン２２を「停止状態」、流路切換弁３９を「冷房サイクル方向」に設定する。このような設定にすることにより、圧縮機３３から吐出された高圧高温の冷媒は流路切換弁３９が冷房サイクル方向に流れ、冷媒を第三熱交換器３８に送り、第三熱交換器３８内の冷媒配管を暖めて付着した霜を溶かす。第三熱交換器３８を通過した冷媒は第二熱交換器３６に流れ、第二熱交換器３６に付着した霜を溶かすことができる。第二熱交換器３６を通過した冷媒は第一膨張機構３５、第一熱交換器３４、流路切換弁３９を通り、圧縮機３３へ戻り、冷媒回路３２を循環する。このような冷媒の循環を連続して行うと、いずれ付着した霜が全て溶け、第二熱交換器３６、第三熱交換器３８の温度が上昇していく。そして温度が所定の温度を超えた時点で、再び浴室暖房運転に切り換えることで、除霜運転が完了する。このとき霜が溶けて発生する水は、ドレンパン６１に落下し、排水管６２を通って本体７外に排水される。
【０１３４】
つぎにＢパターンについて説明する。Ｂパターンでは、基本動作は浴室暖房運転とほぼ同じだが、第一バイパス回路４０に介在する第一開閉弁４３を「開放状態」、第二バイパス回路４１に介在する第二開閉弁４４を「開放状態」、第三バイパス回路４２に介在する第三開閉弁４５を「開放状態」、第一膨張機構３５を「全開状態」、第二膨張機構３７を「全閉状態」、第三バイパス回路４２に取り付けられた冷媒加熱ヒーター４６或いは冷媒加熱手段４７を「運転」、第三熱交換器３８に供給される前の空気を予熱する予熱ヒーター５０を「入」に設定する。このような設定にすることにより、圧縮機３３から吐出された高温の冷媒は流路切換弁３９によって暖房サイクル方向に流れ、第一熱交換器３４に流れる回路と第一バイパス回路４０と第二バイパス回路４１に分流する。第一熱交換器３４に流れた冷媒は循環風路２１内の空気に放熱するので、浴室暖房は継続されることになる。一方、第二熱交換器３６に送られた冷媒は、第一熱交換器３４と第一膨張機構３５を通過した冷媒と合流し、第二熱交換器３６内の冷媒配管を暖めて付着した霜を溶かすことができる。第二熱交換器３６を通過した冷媒は第二膨張機構３７が全閉状態になっているので第三バイパス回路４２を通り、冷媒加熱ヒーター４６あるいは冷媒加熱手段４７から吸熱し、流路切換弁３９を通って圧縮機３３に戻る。一方、第三熱交換器３８に送られた冷媒は、第三熱交換器３８の冷媒配管を暖め付着した霜を溶かし、流路切換弁３９を通って圧縮機に戻る。このようにして、冷媒は冷媒回路３２を循環する。さらに、換気ファン１５によって脱衣室３およびトイレ４から吸込まれ屋外へ排出される空気は、第三熱交換器３８に供給される前に予熱ヒーター５０によって加熱されるので、第三熱交換器３８の表面に付着した霜を溶かすことができる。このような冷媒の循環を連続して行うと、いずれ付着した霜が全て溶け、第二熱交換器３６、第三熱交換器３８の温度が上昇していく。そして温度が所定の温度を超えた時点で、再び浴室暖房運転に切り換えることで、除霜運転が完了する。このとき霜が溶けて発生する水は、ドレンパン６１に落下し、排水管６２を通って本体７外に排水される。
【０１３５】
つぎに、「脱衣室冷房」時の運転動作について説明する。「脱衣室冷房」は夏場洗面台や洗濯機が置かれていることが多い脱衣室のみを冷房したいときに選択する運転モードである。基本動作は浴室冷房運転とほぼ同じだが、開閉装置２６を「閉鎖位置」に設定し、圧縮機３３を運転させる。また、流路切換弁３９を「冷房サイクル方向」、第一バイパス回路４０に介在する第一開閉弁４３を「開放状態」、第一膨張機構３５を「全閉状態」、第二膨張機構３７を「絞り状態」、風路切換手段３１は「脱衣室側」に設定する。このような設定を行うことにより、圧縮機３３で圧縮された高圧高温の冷媒が冷房サイクル方向に設定されている流路切換弁３９を通り、第三バイパス回路４２の第三開閉弁４５が閉鎖しているので全て第三熱交換器３８に導かれる。第三熱交換器３８には換気ファン１５が強ノッチで運転しているため、排気ダクト１０を通じて脱衣室３の空気が供給され、また開閉装置２６が閉鎖位置に設定されているのでトイレ４の空気は供給されない。従って、第三熱交換器において冷媒は脱衣室３から吸込んだ供給空気に対して放熱する。第三熱交換器３８において冷媒の放熱により高温となった空気は排気ダクト８を通って屋外に排出される。一方、第三熱交換器３８で放熱した冷媒は、第二バイパス回路４１に介在する第二開閉弁４４が閉鎖状態であるため、全て第二膨張機構３７に導かれる。第二膨張機構３７は絞り状態となっているため、冷媒がこの第二膨張機構３７において減圧膨張され第二熱交換器３６に導かれる。この第二熱交換器３６において、冷媒は脱衣室３から吸込み風路切換手段３１を介して再び脱衣室３に吹き出す空気と熱交換する。冷媒は第二熱交換器３６において吸熱した後、第一バイパス回路４０に介在する第一開閉弁４３が開放状態に設定されているため、流路切換弁３９を通って圧縮機３３に戻り、冷媒回路３２を循環する。一方、脱衣室３から吸込まれて第二熱交換器３６に供給された空気は冷媒の吸熱により低温となり、風路切換手段３１を介し、送風ダクト１２を通って送風口１１から脱衣室３に吹き出される。このような空気循環を繰り返すことにより脱衣室３内の温度が低下して冷房できる。この「脱衣室冷房」では、浴室に冷房風は吹き出されないため、効率よく個別に脱衣室を冷房することができる。
【０１３６】
つぎに、「浴室・脱衣室冷房」時の運転動作について説明する。「浴室・脱衣室冷房」は夏場、入浴時に浴室の温度を下げ快適に入浴を行った後、脱衣室において火照った体を冷ましたい時などに選択する運転モードである。基本動作は浴室冷房運転とほぼ同じだが、開閉装置２６を「閉鎖位置」に設定し、圧縮機３３を運転させる。また、流路切換弁３９を「冷房サイクル方向」、第一膨張機構３５を「全開状態」、第二膨張機構３７を「絞り状態」、風路切換手段３１は「脱衣室側」に設定する。このような設定を行うことにより、圧縮機３３で圧縮された高温高圧の冷媒が冷房サイクル方向に設定されている流路切換弁３９を通り、第三バイパス回路４２の第三開閉弁４５が閉鎖しているので全て第三熱交換器３８に導かれる。第三熱交換器３８には換気ファン１５が強ノッチで運転しているため、排気ダクト１０を通じて脱衣室３の空気が供給され、また開閉装置２６が閉鎖位置に設定されているのでトイレ４の空気は供給されない。従って、第三熱交換器において冷媒は脱衣室３から吸込んだ供給空気に対して放熱する。第三熱交換器３８において冷媒の放熱により高温となった空気は排気ダクト８を通って屋外に排出される。第三熱交換器３８で放熱した冷媒は、第二バイパス回路４１に介在する第二開閉弁４４が閉鎖状態であるため、全て第二膨張機構３７に導かれる。第二膨張機構３７は絞り状態となっているため、冷媒はこの第二膨張機構３７において減圧膨張され第二熱交換器３６に導かれる。この第二熱交換器３６において、冷媒は脱衣室３から吸込み風路切換手段３１を介して再び脱衣室３に吹き出す空気と熱交換する。冷媒は第二熱交換器３６において吸熱した後、第一開閉弁４３が閉鎖状態、第一膨張機構が全開状態になっているので、そのまま第一熱交換器３４に導かれる。第一熱交換器３４には、循環ファン２２が所定ノッチで運転しているため、吸込口１８から本体７内に吸い込まれた浴室２の空気が供給され、冷媒が供給される浴室２の空気から吸熱する。第一熱交換器において、冷媒は循環風路２１内の空気に流路切換弁３９を通って圧縮機３３に戻り、冷媒回路３２を循環する。一方、脱衣室３から吸込まれて第二熱交換器３６に供給された空気は冷媒の吸熱により低温となり、風路切換手段３１を介し、送風ダクト１２を通って送風口１１から脱衣室３に吹き出される。このような空気循環を繰り返すことにより浴室２および脱衣室３内の温度が低下して冷房できる。また、浴室換気通路２４に位置する開閉装置２７が閉鎖位置に設定されているため、循環通路２１において冷却された低温空気が浴室２外部に排出されることなく空調効率の低下が抑制されることになる。
【０１３７】
次に、「脱衣室暖房」時の運転動作について説明する。「脱衣室暖房」は、冬場洗面台や洗濯機が置かれていることが多い脱衣室のみを暖房したいときに選択する運転モードである。基本動作は浴室暖房運転とほぼ同様だが、循環ファン２２を「停止状態」、開閉装置２６を「閉鎖位置」、風路切換手段３１を「脱衣室側」、第一バイパス回路４０に介在する第一開閉弁４３を「開放状態」、第一膨張機構３５を「全閉状態」、第二膨張機構３７を「絞り状態」に設定する。このような設定にすることにより、圧縮機３３から吐出された高圧高温の冷媒は、流路切換弁３９によって暖房サイクル方向に流れ、第一開閉弁４３が開放状態、第二開閉弁４４が閉鎖状態、第一膨張機構３５が全閉状態になっているので全て第一バイパス回路４０に流れて第二熱交換器３６に導かれる。第二熱交換器３６には、換気ファン１５が強ノッチで運転されているため、排気ダクト１０を通じて脱衣室３の空気が供給され、また開閉装置２６が閉鎖位置に設定されているのでトイレ４の空気は供給されない。従って、第二熱交換器３６において冷媒は脱衣室３から吸込んだ供給空気に対して放熱する。第二熱交換器３６において熱交換され高温となった空気は、風路切換手段３１を介し、送風ダクト１２を通って送風口１１から脱衣室３へ吹き出される。このような空気循環を繰り返すことにより、脱衣室３内の温度が上昇して暖房される。また、第二熱交換器３６を通過した冷媒は、第三開閉弁４５が閉鎖状態であるので第二膨張機構３７に導かれる。第二膨張機構３７は絞り状態に設定されており、冷媒はここで減圧膨張する。第二膨張機構３７を通過した冷媒は、第二開閉弁４４が閉鎖状態であるため、そのまま第三熱交換器３８に導かれる。第三熱交換器３８において、脱衣室３から吸込み屋外へ排出される空気から吸熱する。第三熱交換器３８において冷媒に吸熱され、エントロピーの低下した空気は排気ダクト８を通じて屋外へ排出される。第三熱交換器３８を通過した冷媒は、流路切換弁３９を介して圧縮機３３にもどる。このようにして冷媒は冷媒回路３２を循環する。以上述べた運転動作によって、脱衣室３を暖房することができる。この「脱衣室暖房」では、浴室に暖房風は吹き出されないため、効率よく個別に脱衣室を暖房できる。
【０１３８】
次に「浴室・脱衣室暖房」時の運転動作について説明する。「浴室・脱衣室暖房」は、冬場に入浴し、体などを洗う際に寒さを感じずに快適に入浴できるようにするとともに、入浴後、脱衣室が寒いためにヒートショックを起こしてしまうことを予防したい場合に選択する運転モードである。基本動作は浴室暖房運転とほぼ同様だが、風路切換手段３１を「脱衣室側」、開閉装置２６を「閉鎖位置」、第一バイパス回路４０に介在する第一開閉弁４３を「開放状態」、第一膨張機構３５を「全開状態」、第二膨張機構３７を「絞り状態」に設定する。このような設定にすることにより、圧縮機３３から吐出された高圧高温の冷媒は、流路切換弁３９によって暖房サイクル方向に流れ、第一開閉弁４３が開放状態、第二開閉弁４４が閉鎖状態になっているので第一熱交換器３４に至る回路と第一バイパス回路４０に分流する。第一熱交換器３４には循環ファン２２が所定ノッチで運転しているため、吸込口１８から本体７内に吸い込まれた浴室２の空気が供給される。また、第一熱交換器３４の冷媒配管途中に位置する開閉弁４９は、開放状態に設定されているため、第一熱交換器３４に流入した高温高圧の冷媒は極端な減圧作用を受けずに第一熱交換器３４を通過する。この過程で第一熱交換器３４に供給される浴室２の空気との熱交換が行われて冷媒は放熱する。この放熱により浴室２から吸込まれた空気は加熱されて吹出口１９から浴室２に吹き出される。第一熱交換器３４を通過した冷媒は、第一膨張機構３５が全開状態であるため、そのまま第一バイパス回路４０を通る冷媒と合流して第二熱交換器３６に導かれる。第二熱交換器３６には、換気ファン１５が強ノッチで運転されているため、排気ダクト１０を通じて脱衣室３の空気が供給され、また開閉装置２６が閉鎖位置に設定されているのでトイレ４の空気は供給されない。従って、第二熱交換器３６において冷媒は脱衣室３から吸込んだ供給空気に対して放熱を行う。第二熱交換器３６において熱交換され高温となった空気は、風路切換手段３１を介し、送風ダクト１２を通って送風口１１から脱衣室３へ吹き出される。このような空気循環を繰り返すことにより、脱衣室３内の温度が上昇して暖房される。一方、第二熱交換器３６を通過した冷媒は、第三開閉弁４５が閉鎖状態であるので第二膨張機構３７に導かれる。第二膨張機構３７は絞り状態に設定されており、冷媒はここで減圧膨張する。第二膨張機構３７を通過した冷媒は、第二開閉弁４４が閉鎖状態であるため、そのまま第三熱交換器３８に導かれる。第三熱交換器３８において、脱衣室３から吸込み屋外へ排出される空気から吸熱する。第三熱交換器３８において冷媒に吸熱され、エントロピーの低下した空気は排気ダクト８を通じて屋外へ排出される。第三熱交換器３８を通過した冷媒は、流路切換弁３９を介して圧縮機３３にもどる。このようにして冷媒は冷媒回路３２を循環する。
【０１３９】
また、厳寒時や急速に暖房を行う場合は、第三バイパス回路４２に介在する第三開閉弁４５が「開放状態」、冷媒加熱ヒーター４６或いは冷媒加熱手段が「運転」に設定される。このような設定にすることにより、第二熱交換器３６を通過した冷媒が第三バイパス回路４２に分流し、冷媒加熱ヒーター４６または冷媒加熱手段４７によって加熱され、第三熱交換器３８から流路切換弁３９に至る回路に合流する。厳寒時など脱衣室３の気温が低く、つまり第三熱交換器３８に供給される空気の温度が低い場合や急速に暖房を行う場合、第三熱交換器３８の温度が所定の温度以下になっていることを感知するとこの設定となり、第三熱交換器３８における冷媒の吸熱不足を補填する。
【０１４０】
また、「浴室暖房」時と同様に、「脱衣室暖房」時、「浴室・脱衣室暖房」時も除霜運転が必要になる場合がある。それぞれの場合における除霜運転について説明する。
【０１４１】
脱衣室暖房時の除霜運転（Ｃパターン）では、脱衣室暖房時における設定とほぼ同様であるが、第二バイパス回路４１に介在する第二開閉弁４４を「開放状態」、第二膨張機構３７を「全開状態」に設定する。このような設定にすることにより、圧縮機３３から吐出した冷媒は、流路切換弁３９によって暖房サイクル方向に流れ、第一バイパス回路４０と第二バイパス回路４１に分流する。第一バイパス回路４０に流れた冷媒は、第二熱交換器３６に導かれる。第二熱交換器３６において、換気ファン１５によって脱衣室３から吸込まれた空気に冷媒が放熱するので、脱衣室３に吹き出す空気を加熱することができ、脱衣室の暖房は継続される。第二熱交換器３６を通過した冷媒は第二膨張機構３７が全開状態になっているため、そのまま第二バイパス回路４１を流れてきた冷媒と合流して第三熱交換器３８に導かれる。冷媒は第三熱交換器３８内の冷媒配管を暖め、付着した霜を溶かすことができる。第三熱交換器３８を通過した冷媒は、流路切換弁３９を介して圧縮機３３にもどる。このようにして、冷媒は冷媒回路３２を循環する。この運転が連続して行われると、いずれ第三熱交換器３８に付着した霜が全て溶け、第三熱交換器３８の温度が上昇する。第三熱交換器３８の温度が所定の温度を越えたことを感知した時点で脱衣室暖房運転に切り換わり、除霜運転が完了する。このとき霜が溶けて発生する水は、ドレンパン６１に落下し、排水管６２を通って本体７外に排水される。
【０１４２】
また、浴室・脱衣室暖房時の除霜運転（Ｄパターン）では、浴室・脱衣室暖房運転時における設定とほぼ同様であるが、第二バイパス回路４１に介在する第二開閉弁４４を「開放状態」、第三バイパス回路４２に介在する第三開閉弁４５を「開放状態」、第二膨張機構３７を「全開状態」、冷媒加熱ヒーター４６或いは冷媒加熱手段４７を「運転」、予熱ヒーター５０を「入」に設定する。このような設定にすることにより、圧縮機３３から吐出した高圧高温の冷媒は、流路切換弁３９によって暖房サイクル方向に流れ、第一熱交換器３４に至る回路と第一バイパス回路４０と第二バイパス回路４１に分流する。第一熱交換器３４と第二熱交換器３６には高温の冷媒が流れるので、浴室暖房および脱衣室暖房は継続される。第一膨張機構３５および第二膨張機構３７は全開状態になっているので、第一熱交換器３４および第二熱交換器３６にて放熱した冷媒は、第二バイパス回路４１を流れた冷媒と合流して第三熱交換器３８に導かれる。冷媒は第三熱交換器３８の冷媒配管を暖め付着した霜を溶かすことができる。第三熱交換器３８を通過した冷媒は流路切換弁３９を介して圧縮機３３に戻る。このようにして冷媒は冷媒回路３２を循環する。さらに、換気ファン１５によって脱衣室３およびトイレ４から吸込まれ屋外へ排出される空気は、第三熱交換器３８に供給される前に予熱ヒーター５０によって加熱されているので、第三熱交換器３８の表面に付着した霜を溶かすことができる。このような冷媒の循環を連続して行うと、いずれ付着した霜が全て溶け、第二熱交換器３６、第三熱交換器３８の温度が上昇していく。そして温度が所定の温度を超えた時点で、再び浴室暖房運転に切り換えることで、除霜運転が完了する。このとき霜が溶けて発生する水は、ドレンパン６１に落下し、排水管６２を通って本体７外に排水される。
【０１４３】
また、換気ファン１５を図７に示すように２つの羽根車６６、６７を備える送風機とし、一方の羽根車６６は浴室２以外の室内空間から空気を吸込んで第二熱交換器３６と第三熱交換器３８に送風し、他方の羽根車６７は別の室内空間から吸込んだ空気を熱交換させず、換気ファン１５の吹出側と屋外を連通する風路６８を介して屋外に送風することもできる。このようにすると、換気ファン１５が浴室２以外の室内空間から吸込む空気のうち、他の室内空間の空気と混合したくない室内空間、例えばトイレの空気を含む場合、その混合したくない空気を単独で屋外へ排出することが可能になる。
【０１４４】
また、図８に示すように換気ファン１５から第二熱交換器３６および第三熱交換器３８に至る風路２８から分岐し屋外へ連通する直接換気風路６９と、前記風路２８と直接換気風路６９との分岐点に直接換気風路切換手段７０を備える構成にし、換気ファン１５から吹き出す空気が第二熱交換器３６および第三熱交換器３８を介さないで屋外へ吹き出されるようにすることもできる。このようにすると、換気ファン１５から吹き出す空気が第二熱交換器３６および第三熱交換器３８を介さないで直接換気風路６９を介して屋外へ吹き出されるようになり、換気を行う際に、第二熱交換器３６または第三熱交換器３８を介さずに屋外へ排気できるので圧損が低減され、換気ファンが吹き出す風量を増加することにより、換気能力の向上が可能になる。直接換気風路切換手段７０としては、風路を切り替えることができればよく、例えばダンパー構造を有していればよく、ダンパーなどがある。
【０１４５】
以上説明した内容は、発明を実施するための一形態についてのみ説明したものであり、本発明は上記実施の形態に限定されるものではない。
【０１４６】
なお、本実施の形態では室内空間Ａを浴室としたが、これに限定されるものではなく、室内空間１に含まれる脱衣室３、トイレ４、リビング５、キッチン６、寝室のいずれかでもよい。この場合は、室内空間Ｂは選択した室内空間Ａ以外の室内空間１のうち少なくとも一つ以上の空間となる。表１に実施の形態１の浴室空調装置における運転パターン１を示す。
【０１４７】
【表１】
2008020107.tif 000003
【０１４８】
表２に実施の形態１の浴室空調装置の運転パターン２を示す。
【０１４９】
【表２】
2008020107.tif 000004
【０１５０】
表３に実施の形態１の浴室空調装置の運転パターン３を示す。
【０１５１】
【表３】
2008020107.tif 000005
【０１５２】
表４に実施の形態１の浴室空調装置の運転パターン４を示す。
【０１５３】
【表４】
2008020107.tif 000006
【産業上の利用可能性】
【０１５４】
以上のように本発明にかかる浴室空調装置は、室内空間から屋外へ排出する空気から熱（冷熱）を回収し、浴室２を循環する空気に熱（冷熱）を供給して浴室の空調を行うことによって熱効率を向上することができ、また、浴室以外の室内空間、たとえば脱衣室のみを効率よく個別に空調することができ、さらに省スペースと施工性の向上を図ることができる浴室空調装置を提供できる。これらの特長を有するため、住宅、ビルなどの空調システムに応用することができる。
【図面の簡単な説明】
【０１５５】
【図１】本発明の実施の形態に係る浴室空調装置が設置されている居住空間の平面図
【図２】同浴室空調装置の設置状態を表す断面図
【図３】同浴室空調装置の風路構成図
【図４】同浴室空調装置の冷媒回路図
【図５】冷媒加熱ヒーターの構造を表す概略構成図
【図６】冷媒−水熱交換器の構造を表す概略構成図
【図７】換気ファンを２つの羽根車を用いて構成した場合における同浴室空調装置の風路構成図
【図８】換気ファンの吹出側に直接換気風路を形設した場合における同浴室空調装置の風路構成図
【符号の説明】
【０１５６】
１    室内空間
２    浴室
３    脱衣室
４    トイレ
５    リビング
６    キッチン
７    本体
８    排気ダクト
９    排気口
１０  排気ダクト
１１  送風口
１２  送風ダクト
１３  排気口
１４  排気ダクト
１５  換気ファン
１６  給気口
１７  空調機
１８  吸込口
１９  吹出口
２０  フィルター
２１  循環風路
２２  循環ファン
２３  補助ヒーター
２４  浴室換気通路
２５  開閉装置
２６  開閉装置
２７  開閉装置
２８  風路
２９  風路
３０  風路
３１  風路切換手段
３２  冷媒回路
３３  圧縮機
３４  第一熱交換器
３５  第一膨張機構
３６  第二熱交換器
３７  第二膨張機構
３８  第三熱交換器
３９  流路切換弁
４０  第一バイパス回路
４１  第二バイパス回路
４２  第三バイパス回路
４３  第一開閉弁
４４  第二開閉弁
４５  第三開閉弁
４６  冷媒加熱ヒーター
４７  冷媒加熱手段
４８  キャピラリーチューブ
４９  開閉弁
５０  予熱ヒーター
５１  冷媒管路
５２  電熱管
５３  冷媒管路の入口部
５４  冷媒管路の出口部
５５  端子部
５６  伝熱筒
５７  冷媒−水熱交換器
５８  給湯管路
５９  給湯流入部
６０  給湯流出部
６１  ドレンパン
６２  排水管
６３  冷媒流入部
６４  ツイスト管
６５  冷媒流出部
６６  羽根車
６７  羽根車
６８  風路
６９  直接換気風路
７０  直接換気風路切換手段
【図１】
2008020107.tif 000007
【図２】
2008020107.tif 000008
【図３】
2008020107.tif 000009
【図４】
2008020107.tif 000010
【図５】
2008020107.tif 000011
【図６】
2008020107.tif 000012
【図７】
2008020107.tif 000013
【図８】
2008020107.tif 000014